(57)【特許請求の範囲】
【請求項１】
表示画面に表示された情報に対する操作を受け付ける入力受付部と、
任意に指定された指定文字が見出し語及び該見出し語の内容を示す見出し語内容として対応付けられて記憶された学習帳データベースが登録された学習帳記憶部と、
前記学習帳記憶部に登録された学習帳データベースの表示処理を行う制御部と
を備え、
前記見出し語内容は、前記見出し語に対応する複数の見出し語内容とされており、
前記複数の見出し語内容を前記学習帳データベースに登録する順番を示す登録番号を該登録番号の中から何れか一つを選択可能に前記表示画面に表示し、前記見出し語内容を前記登録番号の中から選択された何れか一つの登録番号に対応付けて前記学習帳データベースに登録可能とされており、
前記制御部は、
前記見出し語を前記学習帳データベースから読み出す見出し語読み出し手段と、
前記見出し語読み出し手段にて読み出した見出し語を前記表示画面に一覧表示する見出し語表示手段と、
前記見出し語表示手段にて一覧表示した見出し語のうち何れか一つの選択操作を前記入力受付部から受け付ける見出し語選択手段と、
前記見出し語読み出し手段にて読み出した見出し語に対して複数種類の順序並び替えを行う並び替え手段と、
前記見出し語選択手段にて受け付けた見出し語に対応する複数の見出し語内容を前記学習帳データベースから読み出す見出し語内容読み出し手段と、
前記見出し語内容読み出し手段にて読み出した複数の見出し語内容及び前記登録番号を前記登録番号の順に前記見出し語選択手段にて受け付けた見出し語に対応させて前記表示画面に表示する見出し語内容表示手段と
を備え、
前記見出し語表示手段は、前記並び替え手段による前記複数種類の順序並び替えのうちの何れか一つによって並び替えられた見出し語を前記表示画面に一覧表示することを特徴とする学習装置。
【請求項２】
請求項１に記載の学習装置であって、
前記表示画面とは別に設けられたサブ表示画面に表示された情報に対する操作を受け付けるサブ入力受付部を備えており、
前記制御部は、前記複数種類の順序並び替えを示す並び替え表示を前記サブ表示画面に表示する並び替え表示手段と、前記並び替え表示手段にて前記サブ表示画面に表示した並び替え表示のうち何れか一つの選択操作を前記サブ入力受付部から受け付ける並び替え選択手段とを備え、
前記並び替え手段は、前記見出し語読み出し手段にて読み出した見出し語に対して前記並び替え選択手段にて受け付けた並び替え表示に対応する順序並び替えを行うことを特徴とする学習装置。
【請求項３】
請求項１又は請求項２に記載の学習装置であって、
前記学習帳データベースには、前記見出し語及び前記見出し語内容が該学習帳データベースに記憶されるときの記憶日付が記憶されており、
前記複数種類の順序並び替えは、前記記憶日付の新しい順の並び替えと、前記記憶日付の古い順の並び替えと、前記見出し語の語順の並び替えとを含んでいることを特徴とする学習装置。
【請求項４】
請求項１から請求項３までの何れか一つに記載の学習装置であって、
前記制御部は、前記見出し語内容表示手段に対して、前記見出し語内容の表示を許可する内容表示機能と、前記登録番号の表示を残して前記見出し語内容の全体の表示を非表示にする内容非表示機能とを切り替える表示切り替え手段を備えることを特徴とする学習装置。
【請求項５】
請求項４に記載の学習装置であって、
前記表示画面とは別に設けられたサブ表示画面に表示された情報に対する操作を受け付けるサブ入力受付部を備えており、
前記制御部は、前記内容表示機能及び前記内容非表示機能を示す表示を前記サブ表示画面に表示する表示機能表示手段と、前記表示機能表示手段にて前記サブ表示画面に表示した表示機能を示す表示のうち何れか一つの選択操作を前記サブ入力受付部から受け付ける表示選択手段とを備え、
前記表示切り替え手段は、前記表示選択手段にて受け付けた表示に対応する表示機能に切り替えることを特徴とする学習装置。
【請求項６】
請求項１から請求項５までの何れか一つに記載の学習装置であって、
前記見出し語内容表示手段は、前記表示画面において正面から視て上下方向に沿った境界部を境として、左右方向の一方側の第１画面領域に前記見出し語を表示し、左右方向の他方側の第２画面領域に前記複数の見出し語内容を表示することを特徴とする学習装置。
【請求項７】
請求項１から請求項６までの何れか一つに記載の学習装置であって、
前記学習帳データベースは、複数の分野別に設けられており、
前記制御部は、前記複数の分野を示す表示を前記表示画面に表示する分野表示手段と、前記分野表示手段にて表示した複数の分野を示す表示のうち何れか一つの選択操作を前記入力受付部から受け付ける分野選択手段とを備え、
前記見出し語読み出し手段は、前記見出し語を前記分野選択手段にて受け付けた表示に対応する分野の学習帳データベースから読み出し、
前記見出し語内容読み出し手段は、前記見出し語選択手段にて受け付けた見出し語に対応する見出し語内容を前記分野選択手段にて受け付けた分野の学習帳データベースから読み出すことを特徴とする学習装置。
【請求項８】
表示画面に表示された情報に対する操作を受け付ける入力受付部と、
任意に指定された指定文字が見出し語及び該見出し語の内容を示す見出し語内容として対応付けられて記憶された学習帳データベースが登録された学習帳記憶部と、
前記学習帳記憶部に登録された学習帳データベースの表示処理を行う制御部と
を備えた学習装置の学習帳表示方法であって、
前記見出し語内容は、前記見出し語に対応する複数の見出し語内容とされており、
前記学習装置は、前記複数の見出し語内容を前記学習帳データベースに登録する順番を示す登録番号を該登録番号の中から何れか一つを選択可能に前記表示画面に表示し、前記見出し語内容を前記登録番号の中から選択された何れか一つの登録番号に対応付けて前記学習帳データベースに登録可能とされており、
前記見出し語を前記学習帳データベースから読み出す見出し語読み出しステップと、
前記見出し語読み出しステップにて読み出した見出し語を前記表示画面に一覧表示する見出し語表示ステップと、
前記見出し語表示ステップにて一覧表示した見出し語のうち何れか一つの選択操作を前記入力受付部から受け付ける見出し語選択ステップと、
前記見出し語読み出しステップにて読み出した見出し語に対して複数種類の順序並び替えを行う並び替えステップと、
前記見出し語選択ステップにて受け付けた見出し語に対応する複数の見出し語内容を前記学習帳データベースから読み出す見出し語内容読み出しステップと、
前記見出し語内容読み出しステップにて読み出した複数の見出し語内容及び前記登録番号を前記登録番号の順に前記見出し語選択ステップにて受け付けた見出し語に対応させて前記表示画面に表示する見出し語内容表示ステップと
を含み、
前記見出し語表示ステップは、前記並び替えステップによる前記複数種類の順序並び替えのうちの何れか一つによって並び替えられた見出し語を前記表示画面に一覧表示することを特徴とする学習装置の学習帳表示方法。
【請求項９】
請求項８に記載の学習装置の学習帳表示方法の前記各ステップを前記制御部に実行させるための学習帳表示プログラム。
【発明の詳細な説明】
【技術分野】
【０００１】
本発明は、学習装置、学習帳表示方法及び学習帳表示プログラムに関する。
【背景技術】
【０００２】
学習装置は、例えば、国語辞書、外国語辞書や百科事典等のコンテンツ情報を格納し、ユーザにより選択及び／又は入力された語句に対して該語句に関する詳細内容をコンテンツ情報から取得して表示部に表示する電子辞書として、従来から広く利用されている。
【０００３】
かかる学習装置は、文字を入力して見出し語内容を表示する文字入力検索機能や、リスト項目を選んで見出し語内容を表示するリスト項目検索機能等の種々の機能に加えて、繰り返し見たい語を登録する単語帳機能が備えられている。
【０００４】
かかる単語帳機能は、ユーザが繰り返し見たい語句と、その語句に対して覚えたい内容（例えば、意味や例文といった詳細情報）とを対応付けて単語帳データベースに記憶する。
【０００５】
単語帳機能では、例えば、ユーザにより選択及び／又は入力された見出し語に適合する見出し語内容を検索し、検索した見出し語内容を表示画面に表示する。このとき、ユーザによって単語帳データベースへの登録を指示する操作がなされると、見出し語と、該見出し語に対応する全ての見出し語内容が単語帳データベースに記憶される。そして、ユーザにより単語帳データベースに記憶された見出し語の中から所望の見出し語が選択されると、選択された見出し語に対応する全ての見出し語内容を読み出して表示させる。
【０００６】
ところで、国語辞書、外国語辞書や百科事典等のコンテンツ情報を格納したような辞書データベースでは、見出し語に対応する見出し語内容は、非常に多くの情報量を含んでいるため、単語帳機能で表示された見出し語内容において多くの情報量の中から所望する内容を即座に探し出すことができず、これにより、従来の学習装置では、ユーザが学習するための学習装置としての利便性を欠いていた。
【０００７】
すなわち、単語帳機能においては、単語帳データベースに記憶できる単語帳の見出し語は、辞書データベースの見出し語からしか選択することができず、見出し語内容からユーザにより指定された任意の語句を単語帳の見出し語として単語帳データベースに記憶することができなかった。さらに、見出し語内容に対してもユーザにより指定された任意の語句を単語帳の見出し語内容として単語帳データベースに記憶することができなかった。
【０００８】
この点に関し、特許文献１には、選択された見出し語を単語帳へ登録する電子辞書において、検索された結果が表示されているときに、見出し語とともに表示されている文字列の目印をつけたい部分を選択し、該部分に関連する情報（例えば参照先の辞書の見出し語に対応する訳情報の位置）を見出し語と共に単語帳へ登録することが開示されている。
【先行技術文献】
【特許文献】
【０００９】
【特許文献１】特開２００６−２２８０４６号公報
【発明の概要】
【発明が解決しようとする課題】
【００１０】
しかしながら、特許文献１に記載の電子辞書では、ユーザが覚えたい見出し語とその見出し語内容に関する情報とを自由に指定し、指定した見出し語とその見出し語内容とを対応付けて記憶させることができず、ユーザが学習するための学習装置としての利便性が十分ではない。
【００１１】
そこで、本発明は、ユーザにより任意に指定された見出し語とその見出し語に関してユーザにより任意に指定された見出し語内容とを対応付けて表示することができる利便性に優れた学習装置、学習帳表示方法及び学習帳表示プログラムを提供することを課題とする。
【課題を解決するための手段】
【００１２】
本発明は、前記課題を解決するために、次の学習装置、学習帳表示方法及び学習帳表示プログラムを提供する。
【００１３】
（１）学習装置
表示画面に表示された情報に対する操作を受け付ける入力受付部と、任意に指定された指定文字が見出し語及び該見出し語の内容を示す見出し語内容として対応付けられて記憶された学習帳データベースが登録された学習帳記憶部と、前記学習帳記憶部に登録された学習帳データベースの表示処理を行う制御部とを備え、前記見出し語内容は、前記見出し語に対応する複数の見出し語内容とされており、前記複数の見出し語内容を前記学習帳データベースに登録する順番を示す登録番号を該登録番号の中から何れか一つを選択可能に前記表示画面に表示し、前記見出し語内容を前記登録番号の中から選択された何れか一つの登録番号に対応付けて前記学習帳データベースに登録可能とされており、前記制御部は、前記見出し語を前記学習帳データベースから読み出す見出し語読み出し手段と、前記見出し語読み出し手段にて読み出した見出し語を前記表示画面に一覧表示する見出し語表示手段と、前記見出し語表示手段にて一覧表示した見出し語のうち何れか一つの選択操作を前記入力受付部から受け付ける見出し語選択手段と、前記見出し語読み出し手段にて読み出した見出し語に対して複数種類の順序並び替えを行う並び替え手段と、前記見出し語選択手段にて受け付けた見出し語に対応する複数の見出し語内容を前記学習帳データベースから読み出す見出し語内容読み出し手段と、前記見出し語内容読み出し手段にて読み出した複数の見出し語内容及び前記登録番号を前記登録番号の順に前記見出し語選択手段にて受け付けた見出し語に対応させて前記表示画面に表示する見出し語内容表示手段とを備え、前記見出し語表示手段は、前記並び替え手段による前記複数種類の順序並び替えのうちの何れか一つによって並び替えられた見出し語を前記表示画面に一覧表示することを特徴とする学習装置。
【００１４】
（２）学習帳表示方法
表示画面に表示された情報に対する操作を受け付ける入力受付部と、任意に指定された指定文字が見出し語及び該見出し語の内容を示す見出し語内容として対応付けられて記憶された学習帳データベースが登録された学習帳記憶部と、前記学習帳記憶部に登録された学習帳データベースの表示処理を行う制御部とを備えた学習装置の学習帳表示方法であって、前記見出し語内容は、前記見出し語に対応する複数の見出し語内容とされており、前記学習装置は、前記複数の見出し語内容を前記学習帳データベースに登録する順番を示す登録番号を該登録番号の中から何れか一つを選択可能に前記表示画面に表示し、前記見出し語内容を前記登録番号の中から選択された何れか一つの登録番号に対応付けて前記学習帳データベースに登録可能とされており、前記見出し語を前記学習帳データベースから読み出す見出し語読み出しステップと、前記見出し語読み出しステップにて読み出した見出し語を前記表示画面に一覧表示する見出し語表示ステップと、前記見出し語表示ステップにて一覧表示した見出し語のうち何れか一つの選択操作を前記入力受付部から受け付ける見出し語選択ステップと、前記見出し語読み出しステップにて読み出した見出し語に対して複数種類の順序並び替えを行う並び替えステップと、前記見出し語選択ステップにて受け付けた見出し語に対応する複数の見出し語内容を前記学習帳データベースから読み出す見出し語内容読み出しステップと、前記見出し語内容読み出しステップにて読み出した複数の見出し語内容及び前記登録番号を前記登録番号の順に前記見出し語選択ステップにて受け付けた見出し語に対応させて前記表示画面に表示する見出し語内容表示ステップとを含み、前記見出し語表示ステップは、前記並び替えステップによる前記複数種類の順序並び替えのうちの何れか一つによって並び替えられた見出し語を前記表示画面に一覧表示することを特徴とする学習装置の学習帳表示方法。
【００１５】
（３）学習帳表示プログラム
前記本発明に係る学習装置の学習帳表示方法の前記各ステップを前記制御部に実行させるための学習帳表示プログラム。
【００１６】
本発明では、ユーザにより任意に指定された見出し語を前記学習帳データベースから読み出し、読み出した見出し語を前記表示画面に一覧表示する。また、一覧表示した見出し語のうち何れか一つをユーザにより選択させ、ユーザにより選択された見出し語に対応する見出し語内容を前記学習帳データベースから読み出し、読み出した見出し語内容をユーザにより選択された見出し語に対応させて前記表示画面に表示する。
【００１７】
このように、本発明によれば、ユーザにより任意に指定された見出し語を一覧表示し、その見出し語に関してユーザにより任意に指定された見出し語内容とを対応付けて表示することができ、これにより学習装置としての利便性を向上させることができる。
【００１８】
前記入力受付部としては、前記表示画面を有し、かつ、前記表示画面に対してタッチペンや指の入力操作が可能な表示入力操作部（所謂、タッチパッドを有するタッチパネル型表示装置）を例示できる。
【００２０】
さらに、前記複数種類の順序並び替えのうちの何れか一つによって並び替えられた見出し語を前記表示画面に一覧表示するので、一覧表示された見出し語に対してユーザが所望の見出し語を即座に見つけ出すことができ、これにより学習装置としての利便性をさらに向上させることができる。
さらに、ユーザにより選択操作された見出し語に対して複数の見出し語内容を利便性よく表示することが可能となる。
【００２１】
本発明において、前記表示画面とは別に設けられたサブ表示画面に表示された情報に対する操作を受け付けるサブ入力受付部を備えていることが好ましい。
【００２２】
この場合、前記制御部は、前記複数種類の順序並び替えを示す並び替え表示を前記サブ表示画面に表示する並び替え表示手段と、前記並び替え表示手段にて前記サブ表示画面に表示した並び替え表示のうち何れか一つの選択操作を前記サブ入力受付部から受け付ける並び替え選択手段とを備え、前記並び替え手段は、前記見出し語読み出し手段にて読み出した見出し語に対して前記並び替え選択手段にて受け付けた並び替え表示に対応する順序並び替えを行う態様を例示できる。
【００２３】
この態様では、前記表示画面における限られたスペースを使用する必要がなく、前記表示画面とは別に設けられた前記サブ表示画面を利用して選択操作を行うことができる。しかも、前記複数種類の順序並び替えの選択表示を前記サブ表示画面に特定することができ、これによりユーザは躊躇することなく前記複数種類の順序並び替えの選択操作を行うことができる。
【００２４】
前記サブ入力受付部としては、前記サブ表示画面を有し、かつ、前記サブ表示画面に対してタッチペンや指の入力操作が可能なサブ表示入力操作部（所謂、タッチパッドを有するタッチパネル型表示装置）を例示できる。
【００２５】
本発明において、前記学習帳データベースには、前記見出し語及び前記見出し語内容が該学習帳データベースに記憶されるときの記憶日付が記憶されていることが好ましい。
【００２６】
この場合、前記複数種類の順序並び替えは、前記記憶日付の新しい順の並び替えと、前記記憶日付の古い順の並び替えと、前記見出し語の語順の並び替えとを含んでいる態様を例示できる。
【００２７】
この態様では、前記見出し語を時間的な順序と一定の規則に従った語句の順序とのうちユーザが所望する順序の並び替えを行うことができる。
【００２８】
本発明において、前記制御部は、前記見出し語内容表示手段に対して、前記見出し語内容の表示を許可する内容表示機能と、前記登録番号の表示を残して前記見出し語内容の全体の表示を非表示にする内容非表示機能とを切り替える表示切り替え手段を備える態様を例示できる。
【００２９】
この態様では、ユーザにより選択操作された見出し語に対して見出し語内容をユーザが暗記する際に好適に利用することができる。
【００３０】
本発明において、前記サブ入力受付部を備えている場合、前記制御部は、前記内容表示機能及び前記内容非表示機能を示す表示を前記サブ表示画面に表示する表示機能表示手段と、前記表示機能表示手段にて前記サブ表示画面に表示した表示機能を示す表示のうち何れか一つの選択操作を前記サブ入力受付部から受け付ける表示選択手段とを備え、前記表示切り替え手段は、前記表示選択手段にて受け付けた表示に対応する表示機能に切り替える態様を例示できる。
【００３１】
この態様では、前記表示画面における限られたスペースを使用する必要がなく、前記表示画面とは別に設けられた前記サブ表示画面を利用して選択操作を行うことができる。しかも、前記内容表示機能及び前記内容非表示機能の選択表示を前記サブ表示画面に特定することができ、これによりユーザは躊躇することなく前記内容表示機能及び前記内容非表示機能の選択操作を行うことができる。
【００３５】
本発明において、前記見出し語内容表示手段は、前記表示画面において正面から視て上下方向に沿った境界部を境として、左右方向の一方側の第１画面領域に前記見出し語を表示し、左右方向の他方側の第２画面領域に前記複数の見出し語内容を表示する態様を例示できる。
【００３６】
この態様では、ノートブック（帳面）における紙面上の左右の一方に繰り返し見たい語句、他方にその語句に対して覚えたい内容を記載した学習帳の如く視認する感覚で利用することができる。
【００３７】
本発明において、前記学習帳データベースは、複数の分野別に設けられていることが好ましい。
【００３８】
この場合、前記制御部は、前記複数の分野を示す表示を前記表示画面に表示する分野表示手段と、前記分野表示手段にて表示した複数の分野を示す表示のうち何れか一つの選択操作を前記入力受付部から受け付ける分野選択手段とを備え、前記見出し語読み出し手段は、前記見出し語を前記分野選択手段にて受け付けた表示に対応する分野の学習帳データベースから読み出し、前記見出し語内容読み出し手段は、前記見出し語選択手段にて受け付けた見出し語に対応する見出し語内容を前記分野選択手段にて受け付けた分野の学習帳データベースから読み出す態様を例示できる。
【００３９】
この態様では、ユーザが選択操作した見出し語とそれに対応する見出し語内容とを選択操作した分野別に視認することができる。
【発明の効果】
【００４０】
以上説明したように、本発明に係る学習装置、学習帳表示方法及び学習帳表示プログラムによると、ユーザにより任意に指定された見出し語を前記学習帳データベースから読み出し、読み出した見出し語を前記表示画面に一覧表示し、一覧表示した見出し語のうち何れか一つをユーザにより選択させ、ユーザにより選択された見出し語に対応する見出し語内容を前記学習帳データベースから読み出し、読み出した見出し語内容をユーザにより選択された見出し語に対応させて前記表示画面に表示することで、ユーザにより任意に指定された見出し語とその見出し語に関してユーザにより任意に指定された見出し語内容とを対応付けて表示することができ、これにより学習装置としての利便性を向上させることができる。
【図面の簡単な説明】
【００４１】
【図１】本発明に係る学習装置の一実施形態である電子辞書を示す概略斜視図である。
【図２】図１に示す電子辞書の表示部に表示される辞書メニュー画面を示す概略図である。
【図３】図１に示す電子辞書にて辞書を引く場合での入力欄を示す概略図である。
【図４】図１に示す電子辞書にて検索した辞書の検索結果を示す概略図である。
【図５】図１に示す電子辞書における辞書データベースのデータ構造を示す概略図である。
【図６Ａ】図１に示す電子辞書のシステム構成を示すブロック図である。
【図６Ｂ】図１に示す電子辞書における制御部の機能構成の一例を概略的に示す機能構成図である。
【図６Ｃ】図１に示す電子辞書における記憶部の詳細を概略的に示す詳細図である。
【図７】図４に示す詳細画面の検索結果においてユーザにより任意の指定情報が指定されている状態を示す概略図である。
【図８Ａ】学習帳データベースのデータ構造の一例を示す概略図である。
【図８Ｂ】学習帳データベースのデータ構造の他の例を示す概略図である。
【図８Ｃ】コンテンツ名称記憶部のデータ構造の一例を示す概略図である。
【図９】国語辞書データベースのデータ構造の一例を示す概略図である。
【図１０】国語辞書データベースのデータ構造の他の例を示す概略図である。
【図１１】動作機能記憶部に記憶されているテーブルを示す概略図である。
【図１２】学習帳登録機能にて見出し語及び見出し語内容を学習帳データベースに新規に作成にする場合に表示される作成画面の遷移状態を示す概略図である。
【図１３】学習帳登録機能にて見出し語及び見出し語内容を学習帳データベースに新規に作成にする場合に表示される作成画面の遷移状態を示す概略図である。
【図１４】学習帳登録機能にて見出し語及び見出し語内容を学習帳データベースに新規に作成にする場合に表示される作成画面の遷移状態を示す概略図である。
【図１５】学習帳データベースに新規に記憶する場合に警告表示されるメッセージ画面を示す概略図である。
【図１６】学習帳データベースに新規に記憶する場合に警告表示されるメッセージ画面を示す概略図である。
【図１７】学習帳データベースに新規に記憶する場合に警告表示されるメッセージ画面を示す概略図である。
【図１８】学習帳登録機能にて学習帳データベースに記憶されている見出し語及び見出し語内容を変更する変更画面の遷移状態を示す概略図である。
【図１９】学習帳登録機能にて学習帳データベースに記憶されている見出し語及び見出し語内容を変更する変更画面の遷移状態を示す概略図である。
【図２０】学習帳機能の処理の流れを示すフローチャートの主要部分のフローチャートである。
【図２１】図２０に示すフローチャートから続く第１処理の流れを示すフローチャートである。
【図２２】図２１において不要情報を除去する不要情報除去処理の流れを示すサブルーチンである。
【図２３】図２１に示す第１処理から続く第２処理の流れを示すフローチャートである。
【図２４】図２３に示す第２処理から続く学習帳新規作成処理の流れの前半部分を示すフローチャートである。
【図２５】図２４に示す学習帳新規作成処理から続く後半部分を示すフローチャートである。
【図２６】図２４において漢字の読みを記憶する読み入力処理の流れを示すサブルーチンである。
【図２７】図２３に示す第２処理から続く学習帳追加変更処理の流れの前半部分を示すフローチャートである。
【図２８】図２７に示す学習帳追加変更処理から続く後半部分を示すフローチャートである。
【図２９】見出し語のバッファ、読みのバッファ、見出し語内容のバッファ及びコンテンツ名のバッファ等を記憶する一時記憶部を示す概略図である。
【図３０】指定文字を一時的に記憶する指定文字記憶部を示す概略図である。
【図３１】選択されている選択分野を記憶する選択分野記憶部を示す概略図である。
【図３２】複数種類の順序並び替えを記憶する表示順記憶部を示す概略図である。
【図３３】学習帳表示機能にて登録されている見出し語及び見出し語内容を学習帳データベースから読み出して表示する場合に表示される表示画面の遷移状態を示す概略図である。
【図３４】学習帳表示機能にて登録されている見出し語及び見出し語内容を学習帳データベースから読み出して表示する場合に表示される表示画面の遷移状態を示す概略図である。
【図３５】学習帳表示機能にて登録されている見出し語及び見出し語内容を学習帳データベースから読み出して表示する場合に表示される表示画面の遷移状態を示す概略図である。
【図３６】学習帳表示機能にて登録されている見出し語及び見出し語内容を学習帳データベースから読み出して表示する場合に表示される表示画面の遷移状態を示す概略図である。
【図３７】学習帳表示機能の処理の流れを示すフローチャートの前半部分のフローチャートである。
【図３８】図３７に示すフローチャートから続く後半部分を示すフローチャートである。
【図３９】図３８において見出し語の並び順を決める第１サブ画面処理の流れを示すサブルーチンである。
【図４０】図３９において見出し語内容の「表示」又は「非表示」を決める第２サブ画面処理の流れを示すサブルーチンである。
【図４１】見出し語内容の「表示」又は「非表示」を示すフラグを記憶する表示設定記憶部を示す概略図である。
【図４２】見出し語内容のリスト表示順を記憶する学習帳リスト表示記憶部を示す概略図である。
【図４３】サブ表示部に表示される画面及び表示部に表示されるポップアップ表示を示す概略図である。
【図４４】学習帳データベースに登録データがない場合での表示部に表示されるメッセージ画面を示す概略図である。
【図４５】学習帳削除機能の処理の流れを示すフローチャートの前半部分のフローチャートである。
【図４６】図４５に示すフローチャートから続く後半部分を示すフローチャートである。
【図４７】図１に示す電子辞書における制御部の機能構成の他の例を概略的に示す機能構成図である。
【発明を実施するための形態】
【００４２】
以下、本発明に係る実施の形態について図面を参照しながら説明する。なお、以下の実施の形態は、本発明を具体化した例であって、本発明の技術的範囲を限定する性格のものではない。
【００４３】
本発明に係る学習装置は、例えば、電子機器の一例である電子辞書のような小型携帯型学習装置として具現化することができ、本実施の形態では、電子辞書を例にとって説明する。
【００４４】
［電子辞書１００の全体構成］
図１は、本発明に係る学習装置の一実施形態である電子辞書１００を示す概略斜視図である。
【００４５】
図１に示す電子辞書１００は、上側本体部１１１と下側本体部１１２と蝶番機構１１３とで構成されており、上側本体部１１１と下側本体部１１２とが蝶番機構１１３によって折り畳み可能に結合されている。詳しくは、上側本体部１１１及び下側本体部１１２は、何れも略同サイズで左右方向に長い形状のものとされており、上側本体部１１１及び下側本体部１１２が短手方向の一端部で左右方向に沿った回動軸を中心に回動自在に連結されている。
【００４６】
上側本体部１１１は、表示部（具体的には表示パネル）１５１を有する入力受付部１５０を備えている。下側本体部１１２は、サブ表示部（具体的にはサブ表示パネル）１６１を有するサブ入力受付部１６０と、制御部１３０（図１では図示せず、図６参照）と、記憶部１４０（図１では図示せず、図６参照）とを備えている。
【００４７】
入力受付部１５０は、表示部１５１の表示画面に表示された情報に対する操作を受け付ける。サブ入力受付部１６０は、サブ表示部１６１のサブ表示画面に表示された情報に対する操作を受け付ける。入力受付部１５０は、ここでは表示画面に対して入力操作可能な表示入力操作部とされている。サブ入力受付部１６０は、ここではサブ表示画面に対して入力操作可能なサブ表示入力操作部とされている。
【００４８】
詳しくは、表示入力操作部１５０は、入力部（具体的にはタッチパッド）１５２を有するタッチ操作可能なタッチパネル型表示装置とされている。サブ表示入力操作部１６０は、サブ入力部（具体的にはサブタッチパッド）１６２を有するタッチ操作可能なタッチパネル型表示装置とされている。サブ表示入力操作部１６０のサブ表示画面は、表示入力操作部１５０の表示画面のサイズよりも小さいサイズとされている。サブ表示入力操作部１６０は、所謂、手書きパッドとして用いることができる。
【００４９】
表示部１５１及びサブ表示部１６１としては、代表的には液晶表示パネルを例示でき、その他、有機ＥＬ表示装置、プラズマ表示装置、電子ペーパーのような表示装置を使用することも可能である。入力部１５２及びサブ入力部１６２としては、抵抗膜方式や光学方式、静電容量方式等のタッチパッドを例示できる。なお、サブ表示部１５１及びサブ表示部１６１は、例えば、タッチペン１８０又は人手によるタッチ操作によって手書き入力操作を受け付ける表示入力画面として用いることができる。
【００５０】
また、下側本体部１１２は、キー入力操作を受け付ける操作部１２０をさらに有している。操作部１２０は、ユーザにより操作される入力キー１２１が設けられている。入力キー１２１には、「辞書メニュー」キー１２１ａ、「検索／決定」キー（決定キー）１２１ｂ、機能キー１２１ｃ、学習帳キー１２１ｄ、カーソルキー１２１ｅ、プレビューキー１２１ｆを含んでいる。
【００５１】
制御部１３０は、電子辞書１００全体の制御を司るものあり、記憶部１４０は、後述する学習帳記憶部１４１（図８Ａ参照）を含む各種記憶部からなっている。制御部１３０及び記憶部１４０については、のちほど詳述する。
【００５２】
そして、電子辞書１００は、文字を入力して見出し語内容を表示する文字入力検索機能、リスト項目を選んで見出し語内容を表示するリスト項目検索機能等の種々の機能を備えている。電子辞書１００は、操作部１２０を介してユーザから辞書の選択命令や文字列の入力命令を受け付ける。電子辞書１００は、複数種類の辞書データにアクセス可能であって、文字列を含む単語や、単語を説明する文章を表示する。
【００５３】
図２は、図１に示す電子辞書１００の表示部１５１に表示される辞書メニュー画面を示す概略図である。図３は、図１に示す電子辞書１００にて辞書を引く場合での入力欄を示す概略図である。また、図４は、図１に示す電子辞書１００にて検索した辞書の検索結果を示す概略図である。また、図５は、図１に示す電子辞書１００における辞書データベースＤＤＢのデータ構造を示す概略図である。
【００５４】
電子辞書１００では、図１に示す操作部１２０上の「辞書メニュー」キー１２１ａがユーザにより入力操作されると、図２に示すように、表示部１５１に辞書メニュー画面Ｇ１を表示する。次に、ユーザにより所望の辞書（図示例では「英和辞典」）が選択操作されると、図３に示すように、辞書の入力欄Ｇ２にカーソルを表示する。語句（図示例では「ｔａｋｅ」）が辞書の入力欄Ｇ２にユーザにより入力され、さらに図１に示す操作部１２０上の「検索／決定」キー（決定キー）１２１ｂがユーザにより入力操作されると、図５に示す辞書データベースＤＤＢを検索し、図４に示すように、語句（図示例ではｔａｋｅ）の検索結果として見出し語に対する詳細内容（例えば、意味や例文など）の詳細画面Ｇ３を表示する。
【００５５】
ところで、従来の単語帳機能を有する電子辞書では、ユーザによって単語帳への登録を指示する操作がなされると、見出し語と、該見出し語に対応する全ての見出し語内容（例えば、意味や例文など）が単語帳データベースに登録される。そして、ユーザにより単語帳データベースに登録された見出し語の中から見出し語が選択されると、選択された見出し語に対応する全ての見出し語内容を読み出して表示させるのであるが、この場合、単語帳データベースに記憶できる単語帳の見出し語は、辞書データベースの見出し語からしか選択することができず、見出し語内容からユーザにより指定された任意の語句を単語帳の見出し語として単語帳データベースに記憶することができない。さらに、見出し語内容に対してもユーザにより指定された任意の語句を単語帳の見出し語内容として単語帳データベースに記憶することができない。
【００５６】
この点、本実施の形態に係る電子辞書１００は、ユーザが覚えたい見出し語とその見出し語内容に関する情報とを自由に指定し、指定した見出し語とその見出し語内容とを対応付けて記憶させる単語学習帳（以下、単に学習帳という）機能を備えている。すなわち、学習帳機能は、表示部１５１の表示画面に表示された文字を含む情報から任意に指定されて表示入力操作部１５０から受け付けた指定情報に基づき取得した指定文字を見出し語及び該見出し語の内容を示す見出し語内容として対応付けて学習帳データベースに記憶させる。以下、この学習帳機能について詳しく説明する。
【００５７】
図６Ａは、図１に示す電子辞書１００のシステム構成を示すブロック図である。図６Ｂは、図１に示す電子辞書１００における制御部１３０の機能構成の一例を概略的に示す機能構成図である。図６Ｃは、図１に示す電子辞書１００における記憶部１４０の詳細を概略的に示す詳細図である。電子辞書１００は、ここでは、制御部１３０及び記憶部１４０を有する制御ユニット１７０を備えている。
【００５８】
制御ユニット１７０は、表示入力操作部１５０の表示部１５１、表示入力操作部１５０の入力部１５２、サブ表示入力操作部１６０のサブ表示部１６１、サブ表示入力操作部１６０のサブ入力部１６２に接続されている。
【００５９】
制御部１３０は、ＣＰＵ（Central Processing Unit）等のコンピュータからなる情報処理部とされている。記憶部１４０は、ＲＯＭ（Read Only Memory）１４０ａ、ＲＡＭ（Random Access Memory）１４０ｂ等の記憶装置を備えている。なお、制御部１３０は、年月日及び時分秒の情報を出力するカレンダー（時計）機能を有している。
【００６０】
制御部１３０は、記憶部１４０のＲＯＭ１４０ａに予め格納された制御プログラムＰを記憶部１４０のＲＡＭ１４０ｂ上にロードして実行することにより、各種構成要素の制御を行うようになっている。記憶部１４０のＲＡＭ１４０ｂは、制御部１３０に対して作業用のワークエリアとしての領域を提供する。また、ＲＯＭ１４０ａには各種辞書データベースＤＤＢが収録されている。
【００６１】
制御プログラムＰは、学習帳機能を実行する学習帳機能プログラムを含んでいる。記憶部１４０は、図８Ａに示す学習帳記憶部１４１と、図２９に示す一時記憶部１４２と、図３０に示す指定文字記憶部１４３と、図３１に示す選択分野記憶部１４４と、図３２示す表示順記憶部１４５と、図４１に示す表示設定記憶部１４６と、図４２に示す学習帳リスト表示記憶部１４７と、図１１に示す動作機能記憶部１４８とを含んでいる。
【００６２】
学習帳機能プログラムは、データが記憶される学習帳データベースＳＤＢが登録される学習帳記憶部１４１の登録処理と、学習帳記憶部１４１に登録された学習帳データベースＳＤＢの表示処理と、学習帳記憶部１４１に登録された学習帳データベースＳＤＢの削除処理とを制御部１３０に実行させるためのプログラムである。
【００６３】
そして、学習帳機能プログラムは、学習帳登録機能を実施する学習帳登録プログラムと、学習帳表示機能を実施する学習帳表示プログラムと、学習帳削除機能を実施する学習帳削除プログラムとを含んでいる。
【００６４】
なお、図６Ｂに示す制御部１３０の機能構成及び図６Ｃに示す記憶部１４０の詳細の詳細については後述する。
【００６５】
［１］学習帳機能の制御構成の説明
次に、学習帳機能の制御構成について学習帳登録機能と学習帳表示機能と学習帳削除機能とに分けてこの順で説明する。
【００６６】
［１−１］学習帳登録機能の制御構成
図７は、図４に示す詳細画面Ｇ３の検索結果においてユーザにより任意の指定情報Ａが指定されている状態を示す概略図である。また、図８Ａは、学習帳データベースＳＤＢのデータ構造の一例を示す概略図である。なお、図８Ａの例では、学習帳Ａ、学習帳Ｂ及び学習帳Ｃのデータを示している。
【００６７】
図４に示す詳細画面Ｇ３の検索結果において、図７に示すように、表示部１５１に対してユーザがタッチペン１８０又は指のタッチ操作によって任意の指定情報Ａを指定できるようになっている。図７の例では反転領域である「持っていく」の領域が指定されている。
【００６８】
また、学習帳データベースＳＤＢには、図８Ａに示すように、見出し語番号Ｎｏ、見出し語Ｎａ及び見出し語Ｎａの内容を示す見出し語内容Ｎｂが記憶されるようになっている。なお、本実施の形態では、学習帳データベースＳＤＢのフィールド内に見出し語内容Ｎｂを設けているが、見出し語番号Ｎｏをアドレステーブルとして学習帳データベースＳＤＢとは別の学習帳データベースとして記憶してもよい。
【００６９】
制御部１３０は、指定受付手段Ｑ１０１、指定文字取得手段Ｑ１０２、見出し語確定手段Ｑ１０３、見出し語登録手段Ｑ１０４、見出し語内容確定手段Ｑ１０５及び見出し語内容登録手段Ｑ１０６として機能する。すなわち、学習帳登録プログラムは、指定受付手段Ｑ１０１に対応する指定受付ステップと、指定文字取得手段Ｑ１０２に対応する指定文字取得ステップと、見出し語確定手段Ｑ１０３に対応する見出し語確定ステップと、見出し語登録手段Ｑ１０４に対応する見出し語登録ステップと、見出し語内容確定手段Ｑ１０５に対応する見出し語内容確定ステップと、見出し語内容登録手段Ｑ１０６に対応する見出し語内容登録ステップとを含むステップを制御部１３０に実行させる。
【００７０】
指定受付ステップは、表示部１５１の表示画面に表示された文字を含む情報から任意に指定された指定情報Ａを表示入力操作部１５０から受け付ける。
【００７１】
指定文字取得ステップは、指定受付ステップにて受け付けた指定情報Ａを判別して指定文字Ｍを取得する。
【００７２】
見出し語確定ステップは、指定文字取得ステップにて取得した指定文字Ｍに対する確定指示に基づいて指定文字Ｍを見出し語Ｎａとして確定する。
【００７３】
見出し語登録ステップは、新規登録する場合には、見出し語確定ステップにて確定した見出し語Ｎａを学習帳データベースＳＤＢとして学習帳記憶部１４１に登録させる登録動作を行い、更新登録する場合には、見出し語確定ステップにて確定した見出し語Ｎａを学習帳データベースＳＤＢとして見出し語内容Ｎｂに対応付けて学習帳記憶部１４１に登録させる登録動作を行う。
【００７４】
見出し語内容確定ステップは、指定文字取得ステップにて取得した指定文字Ｍに対する確定指示に基づいて指定文字Ｍを見出し語内容Ｎｂとして確定する。
【００７５】
見出し語内容登録ステップは、新規登録する場合には、見出し語内容確定ステップにて確定した見出し語内容Ｎｂを学習帳データベースＳＤＢとして学習帳記憶部１４１に登録させる登録動作を行い、更新登録する場合には、見出し語内容確定ステップにて確定した見出し語内容Ｎｂを学習帳データベースＳＤＢとして見出し語Ｎａに対応付けて学習帳記憶部１４１に登録させる登録動作を行う。なお、見出し語Ｎａは、同一内容の見出し語が重複して登録されてもよい。
【００７６】
（漢字の読みを登録）
本実施の形態では、漢字Ｃ１に対応する漢字読みＣ２が記憶された国語辞書データベースＲＤＢを備えている。なお、国語辞書データベースＲＤＢは、記憶部１４０に備えられている。
【００７７】
図９は、国語辞書データベースＲＤＢのデータ構造の一例を示す概略図である。図１０は、国語辞書データベースＲＤＢのデータ構造の他の例を示す概略図である。図９及び図１０に示すように、国語辞書データベースＲＤＢには、ひらがな検索用テーブルＴＢ２とアドレステーブルＴＢａとを対応付けたひらがな情報と、漢字検索用テーブルＴＢ１とアドレステーブルＴＢａとを対応付けた漢字情報とを有している。
【００７８】
また、図８Ａに示すように、学習帳データベースＳＤＢには、見出し語Ｎａに対する漢字読みＮｄが記憶されている。
【００７９】
そして、制御部１３０は、さらに漢字読み取得手段Ｑ１０７として機能する。すなわち、学習帳登録プログラムは、漢字読み取得手段Ｑ１０７に対応する漢字読み取得ステップをさらに含んでいる。
【００８０】
漢字読み取得ステップは、指定文字取得ステップにて取得した指定文字Ｍに含まれている漢字Ｃ１に対応する漢字読みＣ２を国語辞書データベースＲＤＢから取得する。
【００８１】
詳しくは、漢字読み取得手段Ｑ１０７は、漢字読み検索手段と、漢字読み読み出し手段とを備える。すなわち、漢字読み取得ステップは、漢字読み検索手段に対応する漢字読み検索ステップと、漢字読み読み出し手段に対応する漢字読み読み出しステップとを含んでいる。
【００８２】
漢字読み検索ステップは、指定文字取得ステップにて取得した指定文字Ｍに含まれている漢字Ｃ１に対する国語辞書データベースＲＤＢの漢字読みＣ２を検索する。また、漢字読み読み出しステップは、漢字読み検索ステップにて検索した漢字読みＣ２を国語辞書データベースＲＤＢから読み出す。
【００８３】
そして、見出し語登録ステップは、漢字読み取得ステップにて取得した漢字読みＣ２を学習帳データベースＳＤＢの読みＮｄとして見出し語Ｎａに対応付けて学習帳記憶部１４１に登録させる。
【００８４】
（見出し語に対して複数の見出し語内容を登録）
本実施の形態では、見出し語内容Ｎｂは、見出し語Ｎａに対する複数のＮｂ（１）〜Ｎｂ（ｎ）（ｎは２以上の整数）とされている。図８Ａに示す例では、３つの見出し語内容Ｎｂ（Ｎｂ（１）〜Ｎｂ（３））とされている。
【００８５】
そして、見出し語内容登録ステップは、複数の見出し語内容Ｎｂ（Ｎｂ（１）〜Ｎｂ（ｎ））のそれぞれに対して登録動作を実行する。
【００８６】
すなわち、見出し語内容確定ステップは、指定文字取得ステップにて取得した指定文字Ｍに対する確定指示に基づいて指定文字Ｍを複数の見出し語内容Ｎｂ（Ｎｂ（１）〜Ｎｂ（ｎ））のうち何れか一つの見出し語内容Ｎｂ（Ｎｂ（ｊ）（ｊは１〜ｎのうち何れかの値））として確定する。
【００８７】
そして、見出し語内容登録ステップは、見出し語内容確定ステップにて確定した見出し語内容Ｎｂ（Ｎｂ（ｊ））を見出し語内容Ｎｂ（Ｎｂ（ｊ））を収録していたコンテンツ名Ｎｃ（Ｎｃ（ｊ））と共に学習帳データベースＳＤＢとして見出し語Ｎａに対応付けて学習帳記憶部１４１に登録させる。
【００８８】
なお、コンテンツ名とは、国語辞書、外国語辞書や百科事典等の電子辞書１００に収録したコンテンツ情報の名称（例えば、英和辞典、和英辞典、○○事典など）のことである。図８Ａに示す例では、コンテンツ名Ｎｃは、３つの見出し語内容Ｎｂ（１）〜Ｎｂ（３）に対応して３つのコンテンツ名Ｎｃ（Ｎｃ（１）〜Ｎｃ（３））とされている。なお、コンテンツ名Ｎｃはコンテンツの名前そのものが記憶されているが、図８Ｃに示すように、コンテンツ名称Ｎｃｍそれぞれにユニークな番号Ｎｎｃが割り当てられている場合は、図８Ｂに示すように、その番号Ｎｃｎがコンテンツ名Ｎｃに記憶されていても構わない。その場合は、コンテンツ名称Ｎｃｍと番号Ｎｃｎとを対応付けられたコンテンツ名称記憶部１４１ａが記憶部１４０に設けられ、学習帳の見出し語内容Ｎｂを表示する際には、番号Ｎｃｎに対応付けられたコンテンツ名称Ｎｃをコンテンツ名称記憶部１４１ａから取得し、コンテンツ名Ｎｃを表示しても構わない。また、コンテンツ名Ｎｃは、見出し語Ｎａに付与しても構わない。
【００８９】
（学習帳登録機能を実行するユーザインターフェイス）
本実施の形態では、登録動作（前記各ステップの動作）を実行する学習帳登録機能を含む複数の動作機能と文字種とが対応付けられて記憶された動作機能記憶部１４８を備えている。
【００９０】
図１１は、動作機能記憶部１４８に記憶されているテーブルを示す概略図である。図１１に示すように、動作機能記憶部１４８には、文字種に対する動作機能（ここでは、ＭＰ３音声再生機能Ｆ１、ＴＴＳ文章読み上げ機能Ｆ２、Ｓジャンプ機能Ｆ３、マーカー機能Ｆ４及び学習帳登録機能Ｆ５）が記憶されている。なお、範囲指定文字種については、例えば、日本語の場合は選択された範囲の先頭が日本語であるかどうかで判断しても構わないし、選択範囲が全て日本語であるかどうかで判断しても構わない。選択範囲の先頭が日本語であるかどうかで判断する場合は、選択範囲の先頭から見て日本語以外の文字コードが出てくるまでの範囲を選択範囲と見なすことができる。
【００９１】
ここで、「ＭＰ３音声再生機能」とは、指定された文字がアルファベット（英字）のみからなる１つの英単語の読みを音声で出力する機能である。なお、ＭＰ３は、ＭＰＥＧ（Moving Picture Experts Group） Ａｕｄｉｏ  Ｌａｙｅｒ−３の意味である。
【００９２】
「ＴＴＳ文章読み上げ機能」とは、指定された文字が複数の英単語からなる英文を合成音声で出力する機能である。なお、ＴＴＳは、テキスト読み上げ（ＴＴＳ：text-to-speech）の意味である。
【００９３】
「Ｓジャンプ機能」とは、指定された英単語（単語検索）、あるいは指定された複数の英単語（成句検索）、又は、指定された日本語（たとえば、漢字，ひらがな，カタカナを含む文字列）を見出し語として、電子辞書１００に搭載された英語辞書や国語辞典などの辞書からその見出し語に対応する解説部表示情報、成句部表示情報及び例文部表示情報を検索する機能である。
【００９４】
また、「マーカー機能」とは、指定された全ての文字や記号の部分を、その文字表示色とは異なる色で着色表示する機能、又は、指定された全ての文字や記号の部分にアンダーラインを付加する機能である。
【００９５】
なお、指定される言語は、英単語あるいは日本語の言語に限らず、表示している言語であれば英語、日本語以外の言語でも指定可能である。
【００９６】
そして、制御部１３０は、さらに機能取得手段Ｑ１０８、動作機能表示手段Ｑ１０９、動作機能選択手段Ｑ１１０及び機能実行手段Ｑ１１１として機能する。すなわち、学習帳登録プログラムは、機能取得手段Ｑ１０８に対応する機能取得ステップと、動作機能表示手段Ｑ１０９に対応する動作機能表示ステップと、動作機能選択手段Ｑ１１０に対応する動作機能選択ステップと、機能実行手段Ｑ１１１に対応する機能実行ステップとをさらに含んでいる。
【００９７】
機能取得ステップは、指定文字取得ステップにて取得した指定文字Ｍの文字種に対応する動作機能Ｆ１〜Ｆ５を動作機能記憶部１４８から取得する。
【００９８】
動作機能表示ステップは、機能取得ステップにて取得した動作機能Ｆ１〜Ｆ５を示す表示を表示部１５１の表示画面に表示する。
【００９９】
動作機能選択ステップは、動作機能表示ステップにて表示した動作機能Ｆ１〜Ｆ５を示す表示のうち何れか一つの選択操作を受け付ける。
【０１００】
機能実行ステップは、動作機能選択ステップにて受け付けた表示に対応する動作機能が学習帳登録機能Ｆ５である場合に、学習帳登録機能Ｆ５を実行する。
【０１０１】
（分野別に登録）
本実施の形態では、学習帳データベースＳＤＢは、複数の分野別に設けられている。ここで、「分野」とは、国語系、英語系等といった学習に必要な分類がユーザにより自由に選択されるものである。
【０１０２】
すなわち、学習帳データベースＳＤＢは、複数の分野Ｄ（Ｄ（１）〜Ｄ（ｍ）（ｍは２以上の整数））の学習帳データベースＳＤＢ（ＳＤＢ（１）〜ＳＤＢ（ｍ））からなっている。なお、図８Ａには、学習帳Ａの学習帳データベースＳＤＢ（ＳＤＢ（１））と、学習帳Ｂの学習帳データベースＳＤＢ（ＳＤＢ（２））と、学習帳Ｃの学習帳データベースＳＤＢ（ＳＤＢ（３））を例示している。なお、本実施の形態では、学習帳データベースＳＤＢは、分野別に個別に設けられているが、複数の分野を示す情報がフィールドに付加（混在）された一つの学習帳データベースであってもよい。
【０１０３】
そして、制御部１３０は、さらに分野表示手段Ｑ１１２及び分野選択手段Ｑ１１３として機能する。すなわち、学習帳登録プログラムは、分野表示手段Ｑ１１２に対応する分野表示ステップと、分野選択手段Ｑ１１３に対応する分野選択ステップとをさらに含んでいる。
【０１０４】
分野表示ステップは、複数の分野Ｄ（Ｄ（１）〜Ｄ（ｍ））を示す表示を表示部１５１の表示画面に表示する。
【０１０５】
分野選択ステップは、分野表示ステップにて表示した複数の分野Ｄ（Ｄ（１）〜Ｄ（ｍ））を示す表示のうち何れか一つの選択操作を表示入力操作部１５０から受け付ける。
【０１０６】
そして、見出し語登録ステップは、分野選択ステップにて受け付けた表示に対応する分野Ｄ（Ｄ（ｋ）（ｋは１〜ｍのうち何れかの値））の学習帳データベースＳＤＢ（ＳＤＢ（ｋ））に対して登録動作を実行する。
【０１０７】
また、見出し語内容登録ステップは、分野選択ステップにて受け付けた表示に対応する分野Ｄ（Ｄ（ｋ））の学習帳データベースＳＤＢ（ＳＤＢ（ｋ））に対して登録動作を実行する。
【０１０８】
（他分野に登録し直した場合）
本実施の形態では、制御部１３０は、さらに分野移動手段Ｑ１１４として機能する。すなわち、学習帳登録プログラムは、分野移動手段Ｑ１１４に対応する分野移動ステップをさらに含んでいる。
【０１０９】
分野移動ステップは、分野選択ステップにて受け付けている現在の分野Ｄ（Ｄ（ｋ））とは異なる他分野Ｄ（Ｄ（ｈ））（ｈはｋを除く１〜ｍの何れかの値）を受け付けた場合には、現在の分野Ｄ（Ｄ（ｋ））の学習帳データベースに記憶されている見出し語Ｎａ及び見出し語Ｎａに対応する見出し語内容Ｎｂ（Ｎｂ（１）〜Ｎｂ（ｎ））を他分野Ｄ（Ｄ（ｈ））の学習帳データベースＳＤＢＳ（ＳＤＢ（ｈ））に移動させる。
【０１１０】
（指定情報のスペースやジャンプマーク等の不要情報の除去）
また、本実施の形態では、指定文字取得ステップは、指定受付ステップにて受け付けた指定情報Ａのうち、指定文字Ｍに対してスペースやジャンプマーク等の不必要な不要情報（指定文字Ｍとは異なる異種の情報として特定した不要情報）Ａ１（図７参照）が含まれている場合には、不要情報Ａ１を除去して指定文字Ｍを取得する。
【０１１１】
不必要な指定対象としては、代表的には、「先頭にあるスペース（空白）」、「表示シンボル」、「マーク」等の特殊な文字や記号を例示できる。ここで、「表示シンボル」とは、画面に対する指示（例えば画面送りや行送り）を行うハードウェアキーや、１つのキーに対して機能を切り替えるハードウェアキーを画面上で表した「ソフトウェアキー」等の図柄である。また、「マーク」とは音声データが収録されていることを示す「音声マーク」や、他の語句にジャンプして参照することを示す「ジャンプマーク」等の機能を示すマークの図柄である。
【０１１２】
［１−２］学習帳表示機能の制御構成
制御部１３０は、見出し語読み出し手段Ｑ２０１、見出し語表示手段Ｑ２０２、見出し語選択手段Ｑ２０３、見出し語内容読み出し手段Ｑ２０４及び見出し語内容表示手段Ｑ２０５として機能する。すなわち、学習帳表示プログラムは、見出し語読み出し手段Ｑ２０１に対応する見出し語読み出しステップと、見出し語表示手段Ｑ２０２に対応する見出し語表示ステップと、見出し語選択手段Ｑ２０３に対応する見出し語選択ステップと、見出し語内容読み出し手段Ｑ２０４に対応する見出し語内容読み出しステップと、見出し語内容表示手段Ｑ２０５に対応する見出し語内容表示ステップとを含むステップを制御部１３０に実行させる。
【０１１３】
見出し語読み出しステップは、見出し語Ｎａを学習帳データベースＳＤＢから読み出す。
【０１１４】
見出し語表示ステップは、見出し語読み出しステップにて読み出した見出し語Ｎａを表示部１５１の表示画面に一覧表示する。
【０１１５】
見出し語選択ステップは、見出し語表示ステップにて一覧表示した見出し語Ｎａのうち何れか一つの選択操作を表示入力操作部１５０から受け付ける。
【０１１６】
見出し語内容読み出しステップと、見出し語選択ステップにて受け付けた見出し語Ｂａに対応する見出し語内容Ｎｂを学習帳データベースＳＤＢから読み出す。
【０１１７】
見出し語内容表示ステップは、見出し語内容読み出しステップにて読み出した見出し語内容Ｎｂを見出し語選択ステップにて受け付けた見出し語Ｎａに対応させて表示部１５１の表示画面に表示する。
【０１１８】
（順序並び替え表示）
本実施の形態では、制御部１３０は、さらに並び替え手段Ｑ２０６として機能する。すなわち、学習帳表示プログラムは、並び替え手段Ｑ２０６に対応する並び替えステップをさらに含んでいる。
【０１１９】
並び替えステップは、見出し語読み出しステップにて読み出した見出し語Ｎａに対して複数種類の順序並び替え（ここでは新しい順、古い順、語順）を行う。
【０１２０】
そして、見出し語表示ステップは、並び替えステップによる複数種類の順序並び替えのうちの何れか一つによって並び替えられた見出し語Ｎａを表示部１５１の表示画面に一覧表示する。
【０１２１】
（順序並び替え指示をサブ表示画面で選択）
本実施の形態では、制御部１３０は、さらに並び替え表示手段Ｑ２０７及び並び替え選択手段Ｑ２０８として機能する。すなわち、学習帳表示プログラムは、並び替え表示手段Ｑ２０７に対応する並び替え表示ステップと、並び替え選択手段Ｑ２０８に対応する並び替え選択ステップとをさらに含んでいる。
【０１２２】
詳しくは、学習帳データベースＳＤＢには、見出し語Ｎａ及び見出し語内容Ｎｂが学習帳データベースＳＤＢに記憶されるときの記憶日付Ｎｅ，Ｎｆ（図８Ａ参照）が記憶されている。
【０１２３】
並び替え表示ステップは、複数種類の順序並び替えを示す並び替え表示をサブ表示部１６１のサブ表示画面に表示する。具体的には、複数種類の順序並び替えは、記憶日付Ｎｅ，Ｎｆの新しい順の並び替えと、記憶日付Ｎｅ，Ｎｆの古い順の並び替えと、見出し語Ｎａの語順の並び替えとされており、並び替え表示ステップは、記憶日付Ｎｅ，Ｎｆの「新しい順」、記憶日付Ｎｅ，Ｎｆの「古い順」、見出し語Ｎａの「名前順」をサブ表示部１６１のサブ表示画面に表示する（後述する図３４及び図３５参照）。
【０１２４】
そして、並び替え選択ステップは、並び替え表示ステップにてサブ表示部１６１のサブ表示画面に表示した並び替え表示のうち何れか一つの選択操作をサブ表示入力操作部１６０から受け付ける。
【０１２５】
また、並び替えステップは、見出し語読み出しステップにて読み出した見出し語Ｎａに対して並び替え選択ステップにて受け付けた並び替え表示に対応する順序並び替えを行う。
【０１２６】
（見出し語内容の表示／非表示の切り替え）
本実施の形態では、さらに制御部１３０は、表示切り替え手段Ｑ２０９として機能する。すなわち、学習帳表示プログラムは、表示切り替え手段Ｑ２０９に対応する表示切り替えステップをさらに含んでいる。
【０１２７】
表示切り替えステップは、見出し語Ｎａを表示した状態において、見出し語内容表示ステップに対して、見出し語内容Ｎｂの表示を許可する内容表示機能と、見出し語内容Ｎｂの表示を禁止して非表示にする内容非表示機能とを切り替える。
【０１２８】
（表示／非表示をサブ表示画面で切り替え）
本実施の形態では、制御部１３０は、さらに表示機能表示手段Ｑ２１０及び表示選択手段Ｑ２１１として機能する。すなわち、学習帳表示プログラムは、表示機能表示手段Ｑ２１０に対応する表示機能表示ステップと、表示選択手段Ｑ２１１に対応する表示選択ステップとをさらに含んでいる。
【０１２９】
表示機能表示ステップは、内容表示機能及び内容非表示機能を示す表示をサブ表示部１６１のサブ表示画面に表示する。
【０１３０】
表示選択ステップは、表示機能表示ステップにてサブ表示部１６１のサブ表示画面に表示した表示機能を示す表示のうち何れか一つの選択操作をサブ表示入力操作部１６０から受け付ける。
【０１３１】
そして、表示切り替えステップは、表示選択ステップにて受け付けた表示に対応する表示機能（内容表示機能又は内容非表示機能）に切り替える。
【０１３２】
すなわち、表示切り替えステップは、見出し語Ｎａを表示した状態において、内容表示機能と内容非表示機能とを切り替えるようになっている。なお、見出し語内容Ｎｂを表示した状態において、見出し語Ｎａの表示を許可する見出し語表示機能と、見出し語Ｎａの表示を禁止して非表示にする見出し語非表示機能とを切り替えるようになっていてもよい。
【０１３３】
見出し語Ｎａ及び／又は見出し語内容Ｎｂを非表示にする場合、見出し語Ｎａ及び／又は見出し語内容Ｎｂの全体を非表示にしてもよいし、ユーザによって指定された一部の文字を非表示にしてもよい。本実施の形態では、見出し語Ｎａを表示した状態において、内容非表示機能は、見出し語内容Ｎｂの全体を非表示にしている。
【０１３４】
（見出し語に対して複数の見出し語内容を表示）
本実施の形態では、見出し語内容読み出しステップは、見出し語選択ステップにて受け付けた見出し語Ｎａに対応する複数の見出し語内容Ｎｂ（Ｎｂ（１）〜Ｎｂ（ｎ））を学習帳データベースＳＤＢから読み出す。
【０１３５】
また、見出し語内容表示ステップは、見出し語内容読み出しステップにて読み出した複数の見出し語内容Ｎｂ（Ｎｂ（１）〜Ｎｂ（ｎ））を見出し語選択ステップにて受け付けた見出し語Ｎａに対応させて表示部１５１の表示画面に表示する。
【０１３６】
（ノート表示）
本実施の形態では、見出し語内容表示ステップは、表示部１５１の表示画面Ｇ１３（図３４及ぶ図３５参照）において正面から視て上下方向に沿った境界部αを境として、左右方向の一方側の第１画面領域Ｇ１３ａに見出し語Ｎａを表示し、左右方向の他方側の第２画面領域Ｇ１３ｂに複数の見出し語内容Ｎｂ（Ｎｂ（１）〜Ｎｂ（ｎ））を表示する。
【０１３７】
（分野別に表示）
本実施の形態では、制御部１３０は、さらに分野表示手段Ｑ２１２及び分野選択手段Ｑ２１３として機能する。すなわち、学習帳表示プログラムは、分野表示手段Ｑ２１２に対応する分野表示ステップと、分野選択手段Ｑ２１３に対応する分野選択ステップとをさらに含んでいる。
【０１３８】
分野表示ステップは、複数の分野Ｄ（Ｄ（１）〜Ｄ（ｍ））を示す表示を表示部１５１の表示画面に表示する。
【０１３９】
分野選択ステップは、分野表示ステップにて表示した複数の分野Ｄ（Ｄ（１）〜Ｄ（ｍ））を示す表示のうち何れか一つの選択操作を表示入力操作部１５０から受け付ける。
【０１４０】
そして、見出し語読み出しステップは、見出し語Ｎａを分野選択ステップにて受け付けた表示に対応する分野Ｄ（Ｄ（ｋ））の学習帳データベースＳＤＢ（ＳＤＢ（ｋ））から読み出す。
【０１４１】
また、見出し語内容読み出しステップは、見出し語選択ステップにて受け付けた見出し語Ｎａに対応する見出し語内容Ｎｂを分野選択ステップにて受け付けた分野Ｄ（Ｄ（ｋ））の学習帳データベースＳＤＢ（ＳＤＢ（ｋ））から読み出す。
【０１４２】
［１−３］学習帳削除機能の制御構成
制御部１３０は、見出し語読み出し手段Ｑ３０１、見出し語表示手段Ｑ３０２、見出し語選択手段Ｑ３０３及び見出し語削除手段Ｑ３０４として機能する。すなわち、学習帳削除プログラムは、見出し語読み出し手段Ｑ３０１に対応する見出し語読み出しステップと、見出し語表示手段Ｑ３０２に対応する見出し語表示ステップと、見出し語選択手段Ｑ３０３に対応する見出し語選択ステップと、見出し語削除手段Ｑ３０４に対応する見出し語削除ステップとを含むステップを制御部１３０に実行させる。
【０１４３】
見出し語読み出しステップは、見出し語Ｎａを学習帳データベースＳＤＢから読み出す。
【０１４４】
見出し語表示ステップは、見出し語読み出しステップにて読み出した見出し語Ｎａを表示部１５１の表示画面に一覧表示する。
【０１４５】
見出し語選択ステップは、見出し語表示ステップにて一覧表示した見出し語Ｎａのうち何れか一つの選択操作を受け付ける。
【０１４６】
見出し語削除ステップは、見出し語選択ステップにて受け付けた見出し語Ｎａ及び見出し語Ｎａに対応する見出し語内容Ｎｂを学習帳データベースＳＤＢから削除する。
【０１４７】
（見出し語の削除をサブ表示画面で選択）
本実施の形態では、制御部１３０は、さらに見出し語削除表示手段Ｑ３０５として機能する。すなわち、学習帳削除プログラムは、見出し語削除表示手段Ｑ３０５に対応する見出し語削除表示ステップをさらに含んでいる。
【０１４８】
見出し語削除表示ステップは、見出し語選択ステップにて受け付けた見出し語Ｎａの削除を示す見出し語削除表示をサブ表示部１６１のサブ表示画面に表示する。
【０１４９】
そして、見出し語選択ステップは、見出し語削除表示ステップにてサブ表示部１６１のサブ表示画面に表示した見出し語削除表示の選択操作をサブ表示入力操作部１６０から受け付ける。
【０１５０】
また、見出し語削除ステップは、見出し語選択ステップにて見出し語削除表示を受け付けた場合には、見出し語選択ステップにて受け付けた見出し語削除表示に対応する見出し語Ｎａ及び見出し語Ｎａに対応する見出し語内容Ｎｂを学習帳データベースＳＤＢから削除する。
【０１５１】
（見出し語を分野別に削除）
本実施の形態では、制御部１３０は、さらに分野表示手段Ｑ３０６及び分野選択手段Ｑ３０７として機能する。すなわち、学習帳削除プログラムは、分野表示手段Ｑ３０６に対応する分野表示ステップと、分野選択手段Ｑ３０７に対応する分野選択ステップとをさらに含んでいる。
【０１５２】
分野表示ステップは、複数の分野Ｄ（Ｄ（１）〜Ｄ（ｍ））を示す表示を表示部１５１の表示画面に表示する。
【０１５３】
分野選択ステップは、分野表示ステップにて表示した複数の分野Ｄ（Ｄ（１）〜Ｄ（ｍ））を示す表示のうち何れか一つの選択操作を表示入力操作部１５０から受け付ける。
【０１５４】
そして、見出し語読み出しステップは、見出し語Ｎａを分野選択ステップにて受け付けた表示に対応する分野Ｄ（Ｄ（ｋ））の学習帳データベースＳＤＢ（ＳＤＢ（ｋ））から読み出す。
【０１５５】
また、見出し語削除ステップは、見出し語選択ステップにて受け付けた見出し語Ｎａ及び見出し語Ｎａに対応する見出し語内容Ｎｂを分野選択ステップにて受け付けた表示に対応する分野Ｄ（Ｄ（ｋ））の学習帳データベースＳＤＢ（ＳＤＢ（ｋ））から削除する。
【０１５６】
（見出し語に対して複数の見出し語内容を個別に削除）
本実施の形態では、制御部１３０は、さらに見出し語内容読み出し手段Ｑ３０８、見出し語内容表示手段Ｑ３０９、見出し語内容選択手段Ｑ３１０及び見出し語内容削除手段Ｑ３１１として機能する。すなわち、学習帳削除プログラムは、見出し語内容読み出し手段Ｑ３０８に対応する見出し語内容読み出しステップと、見出し語内容表示手段Ｑ３０９に対応する見出し語内容表示ステップと、見出し語内容選択手段Ｑ３１０に対応する見出し語内容選択ステップと、見出し語内容削除手段Ｑ３１１に対応する見出し語内容削除ステップとをさらに含んでいる。
【０１５７】
見出し語内容読み出しステップは、見出し語選択ステップにて受け付けた見出し語Ｎａに対応する複数の見出し語内容Ｎｂ（Ｎｂ（１）〜Ｎｂ（ｎ））を学習帳データベースＳＤＢから読み出す。
【０１５８】
見出し語内容表示ステップは、見出し語内容読み出しステップにて読み出した複数の見出し語内容Ｎｂ（Ｎｂ（１）〜Ｎｂ（ｎ））を見出し語選択ステップにて受け付けた見出し語Ｎａに対応させて表示部１５１の表示画面に表示する。
【０１５９】
見出し語内容選択ステップは、見出し語内容表示ステップにて表示した複数の見出し語内容Ｎｂ（Ｎｂ（１）〜Ｎｂ（ｎ））のうち何れか一つの見出し語内容Ｎｂ（Ｎｂ（ｊ））の選択操作を受け付ける。
【０１６０】
見出し語内容削除ステップは、見出し語内容選択ステップにて受け付けた見出し語内容Ｎｂ（Ｎｂ（ｊ））を学習帳データベースＳＤＢから削除する。この削除処理は、本実施形態ではサブ表示画面で行う。
【０１６１】
（複数の見出し語内容の削除をサブ表示画面で選択）
本実施の形態では、制御部１３０は、さらに見出し語内容削除表示手段Ｑ３１２として機能する。すなわち、学習帳削除プログラムは、見出し語内容削除表示手段Ｑ３１２に対応する見出し語内容削除表示ステップをさらに含んでいる。
【０１６２】
見出し語内容削除表示ステップは、複数の見出し語内容Ｎｂ（Ｎｂ（１）〜Ｎｂ（ｎ））の削除をそれぞれ示す複数の見出し語内容削除表示をサブ表示部１６１のサブ表示画面に表示する。
【０１６３】
そして、見出し語内容選択ステップは、見出し語削除内容表示ステップにてサブ表示部１６１のサブ表示画面に表示した複数の見出し語内容削除表示のうち何れか一つの選択操作をサブ表示入力操作部１６０から受け付ける。
【０１６４】
また、見出し語内容削除ステップは、見出し語内容選択ステップにて複数の見出し語内容削除表示のうち何れか一つの選択操作を受け付けた場合には、受け付けた見出し語内容削除表示に対応する見出し語内容Ｎｂ（Ｎｂ（ｊ））を学習帳データベースＳＤＢから削除する。
【０１６５】
（複数の見出し語内容を分野別に削除）
本実施の形態では、見出し語内容読み出しステップは、見出し語選択ステップにて受け付けた見出し語Ｎａに対応する複数の見出し語内容Ｎｂ（Ｎｂ（１）〜Ｎｂ（ｎ））を分野選択ステップにて受け付けた表示に対応する分野Ｄ（Ｄ（ｋ））の学習帳データベースＳＤＢ（ＳＤＢ（ｋ））から読み出す。
【０１６６】
そして、図３４及び図３５の上側画面に示すように、分野エリアＡＲｃ１〜ＡＲｃ３の中から何れか一つが選択操作により分野が選択されると、見出し語内容削除ステップは、見出し語内容選択ステップにて受け付けた見出し語内容Ｎｂ（Ｎｂ（ｊ））を分野選択ステップにて受け付けた表示に対応する分野Ｄ（Ｄ（ｋ））の学習帳データベースＳＤＢ（ＳＤＢ（ｋ））から削除する。
【０１６７】
［２］学習帳機能の制御例の説明
次に、学習帳機能の制御例について学習帳登録機能と学習帳表示機能と学習帳削除機能とに分けてこの順で説明する。
【０１６８】
［２−１］学習帳登録機能の制御例
先ず、図１２から図１９に示すように、表示部１５１に表示される各画面Ｇ３〜Ｇ１１及びメッセージ画面Ｐ１〜Ｐ８等を参照しながら図２０から図２８に示す学習帳登録機能の制御フローについて説明する。
【０１６９】
なお、以下の説明では、見出し語内容Ｎｂ及びコンテンツ名Ｎｃの変数ｎの値は３とし、分野Ｄ及び学習帳データベースＳＤＢの変数ｍの値は３として説明する。すなわち、見出し語内容Ｎｂ及びコンテンツ名Ｎｃは、それぞれ、３個の見出し語内容Ｎｂ（１）〜Ｎｂ（３）及びコンテンツ名Ｎｃ（１）〜Ｎｃ（３）とする。また、分野Ｄ及び学習帳データベースＳＤＢは、それぞれ、３種類の分野（分野Ａ、分野Ｂ、分野Ｃ）Ｄ（１）〜Ｄ（３）及び学習帳データベースＳＤＢ（１）〜ＳＤＢ（３）とする。なお、変数ｎの値は、ここでは３としたが、１、２又は４以上であってもよく、変数ｍの値も、ここでは３としたが、１、２又は４以上であってもよい。
【０１７０】
図１２から図１４は、学習帳登録機能にて見出し語Ｎａ及び見出し語内容Ｎｂ（１）〜Ｎｂ（３）を学習帳データベースＳＤＢ（１）〜ＳＤＢ（３）に新規に作成する場合に表示される作成画面Ｇ３〜Ｇ９の遷移状態を示す概略図である。なお、図１２の機能選択画面Ｇ４において「学習帳登録機能」を示す表示は「学習帳作成」として表示している。
【０１７１】
図１５から図１７は、学習帳データベースＳＤＢ（１）〜ＳＤＢ（３）に新規に記憶する場合に警告表示されるメッセージ画面を示す概略図である。
【０１７２】
図１８及び図１９は、学習帳登録機能にて学習帳データベースＳＤＢ（１）〜ＳＤＢ（３）に記憶されている見出し語Ｎａ及び見出し語内容Ｎｂを変更する変更画面（Ｇ６，Ｇ１０），（Ｇ８，Ｇ１１）の遷移状態を示す概略図である。
【０１７３】
図２０は、学習帳機能の処理の流れを示すフローチャートの主要部分のフローチャートである。図２１は、図２０に示すフローチャートから続く第１処理の流れを示すフローチャートである。図２２は、図２１において不要情報Ａ１を除去する不要情報除去処理Ｓ９の流れを示すサブルーチンである。図２３は、図２１に示す第１処理から続く第２処理の流れを示すフローチャートである。図２４は、図２３に示す第２処理から続く学習帳新規作成処理の流れの前半部分を示すフローチャートである。図２５は、図２４に示す学習帳新規作成処理から続く後半部分を示すフローチャートである。図２６は、図２４において漢字Ｃ１の読みＣ２を記憶する読み入力処理Ｓ２９の流れを示すサブルーチンである。図２７は、図２３に示す第２処理から続く学習帳追加変更処理の流れの前半部分を示すフローチャートである。図２８は、図２７に示す学習帳追加変更処理から続く後半部分を示すフローチャートである。
【０１７４】
また、図２９から図３２は、記憶部１４０に設けられている各種記憶部１４２〜１４５を示す概略図である。図２９は、見出し語Ｎａのバッファ、読みＮｄのバッファ、見出し語内容Ｎｂ（１）〜Ｎｂ（３）のバッファ及びコンテンツ名Ｎｃ（１）〜Ｎｃ（３）のバッファ等を記憶する一時記憶部１４２を示す図である。図３０は、指定文字Ｍを一時的に記憶する指定文字記憶部１４３を示す図である。図３１は、選択されている選択分野Ｄ（ここでは分野Ａ、分野Ｂ又は分野Ｃ）を記憶する選択分野記憶部１４４を示す図である。図３２は、複数種類の順序並び替えを記憶する表示順記憶部１４５を示す図である。なお、図２９のバッファの参照符号はそれに対応するデータと同一符号を付している。
【０１７５】
図２０に示す処理Ｓ１〜Ｓ３は図３及び図４に示す辞書の検索処理例を示すステップである。すなわち、図３に示すように、ユーザにより図３の辞書の入力欄Ｇ２に語句（ここでは「ｔａｋｅ」）が入力され、さらに、この入力文字に対する検索指示操作があると（ここでは操作部１２０上の「検索／決定」キー１２１ｂが押下されると）（Ｓ１：Ｙｅｓ）、図５に示す辞書データベースＤＤＢが検索され、入力文字と同じ見出し語があると（Ｓ２：Ｙｅｓ）、図４に示すように、語句の検索結果として見出し語に対する詳細内容（例えば、意味や例文など）を詳細画面Ｇ３として表示する（Ｓ３）。なお、入力される語句は、１文字の語句及び複数文字からなる文字列の語句を含む。
【０１７６】
ここで、ユーザが覚えたい見出し語とその見出し語内容に関する情報とを指定し、指定した見出し語とその見出し語内容とを対応付けて記憶させるときには、図２１から図２４に示す処理動作がなされる。
【０１７７】
すなわち、図２１に示す第１処理では、図７及び図１２（上側の画面）に示すように、詳細画面Ｇ３内の任意の指定情報Ａ（詳細画面Ｇ３の反転部参照）がユーザによるタッチ操作（具体的にはタッチペン１８０又は指を画面上で接触させつつ移動させる（所謂、ドラッグ）操作後にペンが離れる操作、またはドラッグ操作後にペンが一定時間タッチされたまま移動しない操作）により指定されたか否かを判断し（Ｓ４）、任意の指定情報Ａがユーザにより指定されるまで（Ｓ４：Ｎｏ）、その他のキー処理の割り込み待ちを行う（Ｓ５）。一方、任意の指定情報Ａがユーザにより指定された場合には（Ｓ４：Ｙｅｓ）、図１２（下側の画面）に示すように、詳細画面Ｇ３上（図示例では詳細画面Ｇ３の略下半分）に機能選択画面Ｇ４を表示する（Ｓ６）。このとき、機能選択画面Ｇ４には、学習帳登録機能を含む複数の機能の表示（ここでは、ＭＰ３音声再生機能Ｆ１を示す機能表示（図示例では「音声」）、ＴＴＳ文章読み上げ機能Ｆ２を示す機能表示（図示例では「読み上げ」）、Ｓジャンプ機能Ｆ３を示す機能表示（図示例では「Ｓジャンプ」）、マーカー機能Ｆ４を示す機能表示（図示例では「マーカー」）及び学習帳登録機能Ｆ５を示す機能表示（図示例では「学習帳作成」）の五つの機能表示）を行い、処理Ｓ７に移行する。なお、この場合、全ての機能を表示後に選択された機能が実施可能かどうかを動作機能記憶部に基づき判断し、実行できない場合は実行できない旨のメッセージを表示し、実行可能な場合は、その機能を実行する。
【０１７８】
次に、機能選択画面Ｇ４でユーザによる選択操作（表示画面へのタッチ操作又はキー操作）により学習帳登録機能Ｆ５が選択されたか否かを判断し（Ｓ７）、学習帳登録機能Ｆ５が選択されるまで（Ｓ７：Ｎｏ）、その他の機能処理の割り込み待ちを行う（Ｓ８）。一方、学習帳登録機能Ｆ５が選択されると（機能選択画面Ｇ４の反転部参照）、図２２に示す不要情報除去処理Ｓ９を実行する。
【０１７９】
図２２に示す不要情報除去処理Ｓ９では、先ず、指定情報Ａに不必要な指定対象である不要情報（範囲）Ａ１が含まれているか否かを判断する（Ｓ９ａ）。
【０１８０】
指定情報Ａに不必要な指定対象が含まれている場合には（Ｓ９ａ：Ｙｅｓ）、指定情報Ａの中から不要な表示指定を除去し（Ｓ９ｂ）、これを指定文字Ｍとして図３０に示す指定文字記憶部１４３に記憶し（Ｓ９ｃ）、図２１の処理Ｓ１０に戻る。一方、指定情報Ａに不必要な指定対象が含まれていない場合には（Ｓ９ａ：Ｎｏ）、指定情報Ａをそのまま指定文字Ｍとして図３０に示す指定文字記憶部１４３に記憶し（Ｓ９ｃ）、図２１の処理Ｓ１０に戻る。なお、指定文字Ｍは、１文字の指定文字及び複数文字からなる文字列の指定文字や、文章を含む。
【０１８１】
次に、図３１に示す選択分野記憶部１４４を参照し、参照した「分野Ｄ（ｋ）」に対応した学習帳データベースＳＤＢ（ｋ）から見出し語Ｎａを読み出す（Ｓ１０）。選択分野Ｄ（１）〜Ｄ（３）の種類は、ここでは「学習帳Ａ」、「学習帳Ｂ」及び「学習帳Ｃ」の３種類とされている。但し、それに限定されることなく、１種類、２種類又は４種類以上であってもよい。なお、図３１に示す選択分野記憶部１４４には、初期値として「学習帳Ａ」を示すデータが予め記憶されている。また、選択分野記憶部１４４には、機器をリセットした時の初期値として「学習帳Ａ」が設定されるだけでなく、常に学習帳のリストが表示されるように、選択分野記憶部に学習帳を表す情報を処理Ｓ１０の処理内で記憶しても構わない。
【０１８２】
次に、図１３及び図１４に示すサブ表示部１６１の第１選択画面ｇ１に対して、「新規作成」ボタンＢＴ１を表示し、さらに、図３２に示す表示順記憶部１４５を参照し、参照した「並び替え順」（図示例では「新しい順」）を反転表示させた状態で、「新しい順」ボタンＢＴ２、「古い順」ボタンＢＴ３及び「名前順」ボタンＢＴ４を表示する（Ｓ１１）。
【０１８３】
さらに、処理Ｓ１１で参照した「並び替え順」（図示例では「新しい順」）にて処理Ｓ１０で読み出した見出し語Ｎａを一覧に表示（リスト表示）して、図１３及び図１４に示すように、リスト表示画面Ｇ５を表示する（Ｓ１２）。なお、リスト表示の最上位には《新規に作成》が表示される。また、リスト表示画面Ｇ５上（図示例では画面上部）には、複数種類の「選択分野」（ここでは「学習帳Ａ」、「学習帳Ｂ」、「学習帳Ｃ」）表示と「戻る」表示とが選択操作可能に表示されており、リスト表示画面Ｇ５は、これらをユーザによる選択操作にて選択入力できるようになっている。また、リスト表示画面Ｇ５で「戻る」表示が選択操作されると、図１２（上側の画面）に示す詳細画面Ｇ３に戻る。
【０１８４】
本実施の形態においては、学習帳データベースＳＤＢ（１）〜ＳＤＢ（３）には、図８Ａに示すように、見出し語Ｎａ及び見出し語内容Ｎｂが記憶されるときの記憶日付として登録日（ここでは時刻を含む）Ｎｅが登録されるようになっている。よって、複数種類の順序並び替えは、登録日Ｎｅの「新しい順」の並び替え、登録日Ｎｅの「古い順」の並び替え及び見出し語Ｎａの「名前順」（語順の並び替え）とされている。なお、図３２に示す表示順記憶部１４５には、初期値として「新しい順」を示すデータが予め記憶されている。フラグ“１”が記憶されると“１”に該当する並び順でリスト表示する。「新しい順」と「古い順」とはどちらか一方が“１”ならばもう一方は“０”になる。また、学習帳データベースＳＤＢ（１）〜ＳＤＢ（３）において、図８Ａに示すように、記憶日付として学習帳データベースＳＤＢ（１）〜ＳＤＢ（３）の変更日Ｎｆを別途設けておき、初回の登録日Ｎｅと２回目以降に更新する変更日Ｎｆとを分けて記憶しておいてもよい。また、学習帳データベースＳＤＢにおいて、登録日や変更日に時刻まで記憶してもよいが、登録日や変更日に時刻まで記憶するようになっていない場合には、表示順記憶部１４５において、「新しい順」と「古い順」のいずれかに“１”が入っていても、同一日付がある場合には、「名前順」とすることができる。例えば、「新しい順」：“１”、「名前順」：“１”とすると、登録日や変更日の新しい順で並べ、同一日付のものは、名前順で並べることができる。
【０１８５】
次に、図１３及び図１４のリスト表示画面Ｇ５でユーザによる選択操作により選択されている「分野」以外の「分野」が選択操作されたか否かを判断する（Ｓ１３）。処理Ｓ１３で選択されている「分野」以外の「分野」が選択操作された場合には（Ｓ１３：Ｙｅｓ）、選択された「分野」に対応した学習帳データベースＳＤＢから見出し語Ｎａを読み出し（Ｓ１４）、処理Ｓ１２に戻る。一方、処理Ｓ１３で選択されている「分野」以外の「分野」が選択操作されていない場合には（Ｓ１３：Ｎｏ）、図２３に示す第２処理へ移行する。
【０１８６】
図２３に示す第２処理では、図１３及び図１４に示すサブ表示部１６１の第１選択画面ｇ１に表示した「新規作成」ボタンＢＴ１がユーザによるタッチ操作により選択操作されたか否かを判断する（Ｓ１５）。
【０１８７】
処理Ｓ１５で「新規作成」ボタンＢＴ１が選択操作された場合には（Ｓ１５：Ｙｅｓ）、図２４に示す学習帳新規作成処理へ移行する。一方、処理Ｓ１５で「新規作成」ボタンＢＴ１が選択操作されていない場合には（Ｓ１５：Ｎｏ）、リスト表示されている見出し語Ｎａの中から何れか一つが選択操作により選択操作されたか否かを判断する（Ｓ１６）。
【０１８８】
処理Ｓ１６で見出し語Ｎａの中から何れか一つがユーザにより選択操作された場合には（Ｓ１６：Ｙｅｓ）、図２７に示す学習帳追加変更処理へ移行する。一方、処理Ｓ１６で見出し語Ｎａが何れも選択操作されていない場合には（Ｓ１６：Ｎｏ）、第１選択画面ｇ１に示す並び順の何れか一つがタッチ操作により選択操作されたか否かを判断する（Ｓ１７）。
【０１８９】
処理Ｓ１７で並び順の何れか一つがユーザにより選択操作された場合には（Ｓ１７：Ｙｅｓ）、選択された並び順に該当するフラグを図３２に示す記憶部１４５に記憶し（Ｓ１８）、図２１に示す処理Ｓ１１へ移行する。一方、処理Ｓ１７で並び順が何れも選択操作されていない場合には（Ｓ１７：Ｎｏ）、その他の機能処理の割り込み待ちを行う（Ｓ１９）。
【０１９０】
（学習帳新規作成処理）
次に、図１３及び図１４を参照しながら図２４及び図２５に示す学習帳新規作成処理について説明し、その後、図１８及び図１９を参照しながら図２７及び図２８に示す学習帳追加変更処理について説明する。
【０１９１】
図２４に示す学習帳新規作成処理では、図１３に示す選択画面Ｇ６及び図１４の選択画面Ｇ８に示すように、見出し語Ｎａを選択操作可能に表示する見出し語エリアＡＲａに対応した名称表示（図示例では「見出語」）、分野Ｄ（１）〜Ｄ（３）を選択操作可能に表示する分野エリア（図示例ではチェックボックス）ＡＲｃ１〜ＡＲｃ３に対応した名称表示（図示例では「分野」）及び見出し語内容Ｎｂ（１）〜Ｎｂ（３）を選択操作可能に表示する内容エリアＡＲｂ１〜ＡＲｂ３に対応した名称表示（図示例では「内容（１）」、「内容（２）」及び「内容（３）」））を表示する（Ｓ２０）。なお、選択画面Ｇ６，Ｇ８上（図示例では画面上部）には、「戻る」表示が選択操作可能に表示されており、選択画面Ｇ６，Ｇ８で「戻る」表示が選択操作されると、リスト表示画面Ｇ５に戻る。
【０１９２】
そして、選択画面Ｇ６，Ｇ８でユーザによる選択操作により見出し語エリアＡＲａが選択操作されたか否かを判断する（Ｓ２１）。
【０１９３】
処理Ｓ２１で見出し語エリアＡＲａが選択された場合（図１３の選択画面Ｇ６の反転部参照）には（Ｓ２１：Ｙｅｓ）、図２２に示す処理Ｓ９ｃで図３０に示す指定文字記憶部１４３に記憶した指定文字Ｍを図２９に示す一時記憶部１４２の見出し語バッファに一時的に記憶し（Ｓ２２）、図２６に示す読み入力処理Ｓ２９を実行する。一方、処理Ｓ２１で見出し語エリアＡＲａが選択操作されていない場合には（Ｓ２１：Ｎｏ）、内容エリアＡＲｂ１〜ＡＲｂ３の中から何れか一つが選択操作により選択操作されたか否かを判断する（Ｓ２３）。
【０１９４】
処理Ｓ２３で内容エリアＡＲｂ１〜ＡＲｂ３の中から何れか一つがユーザにより選択操作された場合（図１４の選択画面Ｇ８の反転部参照）には（Ｓ２３：Ｙｅｓ）、処理Ｓ９ｃで記憶した指定文字Ｍを図２９に示す一時記憶部１４２の見出し語内容バッファに一時的に記憶し（Ｓ２４）、図２６に示す読み入力処理Ｓ２９を実行する。一方、処理Ｓ２３で内容エリアＡＲｂ１〜ＡＲｂ３が何れも選択操作されていない場合には（Ｓ２３：Ｎｏ）、分野エリアＡＲｃ１〜ＡＲｃ３の中から何れか一つが選択操作により選択操作されたか否かを判断する（Ｓ２５）。
【０１９５】
処理Ｓ２５で分野エリアＡＲｃ１〜ＡＲｃ３の中から何れか一つがユーザにより選択操作された場合には（Ｓ２５：Ｙｅｓ）、選択された「分野」表示に対応する「分野」にチェックマークを表示し（Ｓ２６）、選択された「分野」表示に対応する「分野」を図２９に示す一時記憶部１４２の分野Ｄ（１）〜Ｄ（３）分野バッファに記憶する（Ｓ２７）。一方、処理Ｓ２５で分野エリアＡＲｃ１〜ＡＲｃ３が何れも選択操作されていない場合には（Ｓ２５：Ｎｏ）、その他のキー処理の割り込み待ちを行う（Ｓ２８）。
【０１９６】
図２６に示す読み入力処理Ｓ２９では、先ず、表示入力操作部１５０からの選択操作により漢字の読みを入力するためのユーザ入力の受付があるか否かを判断し（Ｓ２９ａ）、漢字の読みを入力するためのユーザ入力の受付がない場合には（Ｓ２９ａ：Ｎｏ）、漢字交じりであるかどうかを、図３０の指定文字記憶部に記憶された文字のコードが、漢字に分類されているコードであるかどうかによって判断する（Ｓ２９ｂ）。
【０１９７】
処理Ｓ２９ｂで漢字が交じっている場合には（Ｓ２９ｂ：Ｙｅｓ）、図９に示す国語辞書データベースＲＤＢの漢字検索用テーブルＴＢ１からアドレステーブルＴＢａに行き、そのアドレステーブルＴＢａと同じアドレステーブルＴＢａを持ったひらがな検索用テーブルＴＢ２を検索し（Ｓ２９ｃ）、該当する語句があるか否かを判断し（Ｓ２９ｄ）、該当する語句があれば（Ｓ２９ｄ：Ｙｅｓ）、該当するひらがな検索用テーブルＴＢ２の読みを取得し（Ｓ２９ｅ）、処理Ｓ２９ｅで取得した語句を図２９に示す一時記憶部１４２の読みバッファに一時的に記憶する（Ｓ２９ｆ）。なお、図１０に示すように、国語辞書データベースＲＤＢの見出し語に対応する内容に読みの情報があれば、漢字検索用テーブルＴＢ１からアドレステーブルＴＢａに行き、そのアドレステーブルＴＢａに対応した辞書テーブルＴＢ３の見出し語の内容から読みを抽出してもよい。
【０１９８】
一方、処理Ｓ２９ｄで語句がなければ（Ｓ２９ｄ：Ｎｏ）、見出し語エリアＡＲａの語句を図２９に示す一時記憶部１４２の読みバッファに一時的に記憶する（Ｓ２９ｇ）。
【０１９９】
また、処理２９ａで漢字の読みを入力するためのユーザ入力の受付がある場合には（Ｓ２９ａ：Ｙｅｓ）、ユーザによるひらがな入力操作により、漢字の読みが入力される。すなわち、ユーザによるひらがな入力がある否かを判断し（Ｓ２９ｈ）、ユーザによるひらがな入力があった場合には（Ｓ２９ｈ：Ｙｅｓ）、入力された語句を図２９に示す一時記憶部１４２の読みバッファに一時的に記憶する（Ｓ２９ｉ）。一方、ユーザによるひらがな入力がなかった場合には（Ｓ２９ｈ：Ｎｏ）、処理Ｓ２９ｂに移行する。
【０２００】
そして、処理Ｓ２９ｆ、処理Ｓ２９ｇ又は処理Ｓ２９ｉの終了後、図２４に示す学習帳新規作成処理に戻り、図２５に示す処理Ｓ３０へ移行する。
【０２０１】
次に、図２５に示す処理Ｓ３０で登録前の確認用プレビュー表示画面（図１３の例ではプレビュー表示画面Ｇ７、図１４の例ではプレビュー表示画面Ｇ９）を表示する。なお、本実施の形態では、図２９に示す一時記憶部１４２の見出し語内容バッファには見出し語内容Ｎｂに対応するコンテンツ名Ｎｃが処理Ｓ３０の処理前の段階、ここでは処理Ｓ２９の処理後において、図２９に示す一時記憶部１４２に一時的に記憶されており（Ｓ３０ａ）、登録する語句（図１３及び図１４では登録する語句の後の括弧内）にはコンテンツ名Ｎｃが付与されて表示されている。
【０２０２】
また、本実施の形態では、プレビュー表示画面Ｇ７，Ｇ９において、見出し語内容Ｎｂと見出し語Ｎａとを異なる表示形態で表している。具体的には、見出し語内容Ｎｂの色（図示例では黒色）とは異なる色（図示例では赤色）で見出し語Ｎａを表示している。このことは、後述する図１８及び図１９のプレビュー表示画面Ｇ１０，Ｇ１１についても同様である。
【０２０３】
また、プレビュー表示画面Ｇ７，Ｇ９において、漢字の読みＮｄを表示してもよい。また、プレビュー表示画面Ｇ７，Ｇ９上（図示例では画面上部）には、「戻る」表示が選択操作可能に表示されており、プレビュー表示画面Ｇ７，Ｇ９で「戻る」表示が選択操作されると、選択画面Ｇ６，Ｇ８に戻る。
【０２０４】
そして、決定指示操作（ここでは操作部１２０上の「検索／決定」キー１２１ｂの押下）があるか否かを判断し（Ｓ３１）、決定指示があるまで待機する（Ｓ３１：Ｎｏ）。決定指示があると（Ｓ３１：Ｙｅｓ）、図２９の一時記憶部の分野記憶エリアに記憶されている「分野」に対応した学習帳データベースＳＤＢに記憶し、図２９の一時記憶部１４２の分野バッファの記憶エリアに記憶されている「分野」を図３１の選択分野記憶部１４４に記憶する（Ｓ３２）。このように、学習帳に登録した語句の分野を選択分野記憶部１４４に記憶しておくことにより、次に選択した語句を学習帳に登録する際に、前回登録した語句の学習帳リストが図２１の処理Ｓ１０の処理で表示されるので、前回登録した語句が表示され、選択できる。これにより、前回登録した語句の学習帳を選択し直す必要がなく、同じ学習帳の語句に対する見出語部または内容部を連続して登録しやすくなる。ここでは、上記を想定して説明をしているが、図２１の処理Ｓ１０で常に学習帳Ａのリストが表示されるように、選択分野記憶部１４４に学習帳Ａを表す情報を記憶しても構わない。
【０２０５】
次に、制御部１３０のカレンダー（時計）機能から日付及び時刻を取得し、図３１に示す選択分野記憶部１４４に記憶されている「分野」に対応した学習帳データベースＳＤＢの登録日Ｎｅに記憶する（Ｓ３３）。
【０２０６】
次に、図１３及び図１４に示すように、登録したことを示すガイダンス表示（図示例ではプレビュー表示画面Ｇ７，Ｇ９上にポップアップ表示Ｐ１，Ｐ２）を行い（Ｓ３４）、図１２に示す詳細画面Ｇ３に戻る（Ｓ３５）。
【０２０７】
次に、ユーザによる入力操作により新規の検索語句の入力（同一のコンテンツ情報や他のコンテンツ情報を検索するための検索語句の入力）があるか否かを判断し（Ｓ３６）、新規の検索語句の入力がある場合には（Ｓ３６：Ｙｅｓ）、図２０に示す処理Ｓ１に戻る一方、新規の検索語句の入力がない場合には（Ｓ３６：Ｎｏ）、図２１に示す処理Ｓ４に戻る。
【０２０８】
なお、図１３及び図１４のリスト表示画面Ｇ５において《新規に作成》が選択操作されたときに登録最大件数を超えている場合には、図１５に示す警告表示を行う。図示例では、リスト表示画面Ｇ５上にポップアップ表示Ｐ３を行った後、リスト表示画面Ｇ５に戻る。また、図１３及び図１４の選択画面Ｇ６，Ｇ８において指定文字Ｍが、登録可能文字数を超えている場合、図１６に示す警告表示を行う。図示例では、選択画面Ｇ６，Ｇ８上にポップアップ表示Ｐ４を行った後、選択画面Ｇ６，Ｇ８に戻る。また、選択画面Ｇ６，Ｇ８において分野の登録最大件数を超えている場合、図１７に示す警告表示を行う。図示例では、選択画面Ｇ６，Ｇ８上にポップアップ表示Ｐ５を行った後、選択画面Ｇ６，Ｇ８に戻る。
【０２０９】
（学習帳追加変更処理）
次に、図１８及び図１９を参照しながら図２７及び図２８に示す学習帳追加変更処理について説明する。なお、図２７及び図２８のフローチャートにおいて図２４及び図２５のフローチャートと同じ処理には同一符号を付し、その説明を省略する。図２７及び図２８において、異なる処理には処理符号を○印で囲んで示している。
【０２１０】
図２７及び図２８に示す学習帳追加変更処理は、図２３に示す処理Ｓ１６おいて、学習帳データベースＳＤＢに記憶されている見出し語Ｎａの中から何れか一つがユーザの選択操作により選択操作された場合に（Ｓ１６：Ｙｅｓ）行われる。
【０２１１】
図２７に示す処理Ｓ３７では、図２３に示す処理Ｓ１６で選択された見出し語Ｎａに対応した見出し語内容Ｎｂを学習帳データベースＳＤＢから読み出し、処理Ｓ２０に移行する。
【０２１２】
また、処理Ｓ２１で見出し語エリアＡＲａが選択された場合（図１８の選択画面Ｇ６の反転部参照）には（Ｓ２１：Ｙｅｓ）、選択された見出し語エリアＡＲａの登録されている見出し語Ｎａを変更するかどうかを確認する変更確認表示（図示例では選択画面Ｇ６上にポップアップ表示Ｐ６）を行い（Ｓ３８）、処理Ｓ３９に移行する。この場合、ポップアップ表示Ｐ６の○○○内には「見出し語」という表示を行う。
【０２１３】
そして、ユーザによる変更しない確認操作（図示例では”Ｎ“の入力操作）が行われると（Ｓ３９：Ｎｏ）、処理Ｓ２０に移行する一方、ユーザによる変更してよい確認操作（図示例では”Ｙ“の入力操作）が行われると（Ｓ３９：Ｙｅｓ）、処理Ｓ２２に移行する。
【０２１４】
また、処理Ｓ２３で内容エリアＡＲｂ１〜ＡＲｂ３の中から何れか一つがユーザにより選択操作された場合（図１９の選択画面Ｇ８の反転部参照）には（Ｓ２３：Ｙｅｓ）、選択された内容エリアＡＲｂに対応する見出し語内容Ｎｂが未登録か否かを判断する（Ｓ４０）。選択された見出し語内容Ｎｂが登録されている場合には（Ｓ４０：Ｎｏ）、図１８に示すように、登録されている見出し語内容Ｎｂを変更するかどうかのガイダンス表示（図示例では選択画面Ｇ８上にポップアップ表示Ｐ６）を行い（Ｓ４１）、処理Ｓ２４に移行する。なお、ポップアップ表示Ｐ６の○○○内には「内容（１）」、「内容（２）」及び「内容（３）」という表示のうちの選択された表示（例えば「内容（１）」が選択された場合には「内容（１）」という表示）を行う。一方、選択された見出し語内容Ｎｂが未登録の場合には（Ｓ４０：Ｙｅｓ）、そのまま処理Ｓ２４に移行する。
【０２１５】
図２８に示す処理Ｓ３２では、既述したとおり、図２９の一時記憶部の分野記憶エリアに記憶されている「分野」に対応した学習帳データベースＳＤＢに記憶し、図２９の一時記憶部１４２の分野バッファの記憶エリアに記憶されている「分野」を図３１の選択分野記憶部１４４に記憶するが、この場合、ユーザにより現在の分野Ｄ（Ｄ（ｋ））から他分野Ｄ（Ｄ（ｈ））が選択された場合には、現在の分野Ｄ（Ｄ（ｋ））の学習帳データベースＳＤＢ（ＳＤＢ（ｋ））に記憶されている見出し語Ｎａ及び見出し語Ｎａに対応する見出し語内容Ｎｂ（Ｎｂ（１）〜Ｎｂ（３））を他分野Ｄ（Ｄ（ｈ））の学習帳データベースＳＤＢＳ（ＳＤＢ（ｈ））に移動させる。
【０２１６】
また、処理Ｓ３２の後、制御部１３０のカレンダー（時計）機能から日付及び時刻を取得し、図３１に示す選択分野記憶部１４４に記憶されている「分野」に対応した学習帳データベースＳＤＢの登録日Ｎｅに上書き更新する（Ｓ４２）。
【０２１７】
そして、図１８及び図１９に示すように、登録したことを示すガイダンス表示（図示例ではプレビュー表示画面Ｇ１０，Ｇ１１上にポップアップ表示Ｐ７，Ｐ８）を行う（Ｓ４３）。
【０２１８】
［２−２］学習帳表示機能の制御例
次に、図３３から図３６に示すように、表示部１５１に表示される画面Ｇ１２〜Ｇ１５をサブ表示部１６１に表示される画面ｇ２，ｇ３と共に参照しながら図３７から図４０に示す学習帳表示機能の制御フローについて説明する。
【０２１９】
図３３から図３６は、学習帳表示機能にて登録されている見出し語Ｎａ及び見出し語内容Ｎｂを学習帳データベースＳＤＢから読み出して表示する場合に表示される表示画面Ｇ１２〜Ｇ１５の遷移状態を示す概略図である。
【０２２０】
図２０に示す処理Ｓ１おいて、入力文字に対する検索指示がない場合には（Ｓ１：Ｎｏ）、学習帳機能を実行する実行指示があるか否かを判断する（Ｓ４４）。ここでは、学習帳機能は、操作部１２０上の機能キー１２１ｃの押下後に学習帳キー１２１ｄを押下するか、或いは、図３３に示すメイン画面Ｇ１２において便利機能の選択メニューを開く「便利機能」表示ＡＲｄの選択操作後に学習帳機能の実行を示す「学習帳」表示ＡＲｅがユーザにより選択操作されることで実行される。
【０２２１】
処理Ｓ４４で学習帳機能の実行指示がない場合には（Ｓ４４：Ｎｏ）、その他の機能処理の割り込み待ちを行う（Ｓ４５）。
【０２２２】
一方、処理Ｓ４４で学習帳機能の実行指示があると（Ｓ４４：Ｙｅｓ）、学習帳記憶部１４１の学習帳データベースＳＤＢに見出し語Ｎａ及び見出し語内容Ｎｂのデータが存在するか否かを判断し（処理Ｓ４６）、学習帳データベースＳＤＢにデータが存在する場合には（Ｓ４６：Ｙｅｓ）、図３７から図４０に示すリスト表示処理を実行する。また、学習帳データベースＳＤＢにデータが存在しない場合には（Ｓ４６：Ｎｏ）、後述する図４４に示すようなメッセージ表示を表示画面Ｇ１６として表示する。
【０２２３】
（リスト表示処理）
図３７は、学習帳表示機能の処理の流れを示すフローチャートの前半部分のフローチャートである。図３８は、図３７に示すフローチャートから続く後半部分を示すフローチャートである。図３９は、図３８において見出し語Ｎａの並び順を決める第１サブ画面処理Ｓ５８の流れを示すサブルーチンである。図４０は、図３９において見出し語内容Ｎｂの「表示」又は「非表示」を決める第２サブ画面処理Ｓ５９の流れを示すサブルーチンである。
【０２２４】
また、図４１及び図４２は、記憶部１４０に設けられている各記憶部１４６，１４７を示す概略図である。図４１は、見出し語内容Ｎｂの「表示」又は「非表示」を示すフラグを記憶する表示設定記憶部１４６を示す図である。なお、図４１に示す表示設定記憶部１４６においてフラグの“１”は「表示」を示し、フラグの“０”は「非表示」を示す。また、図４１に示す表示設定記憶部１４６には、初期値として「表示」を示すフラグが予め記憶されている。図４２は、見出し語内容Ｎｂのリスト表示順を記憶する学習帳リスト表示記憶部１４７を示す図である。
【０２２５】
図３７から図４０に示すリスト表示処理では、先ず、図３１に示す選択分野記憶部１４４を参照し、参照した「分野」に対応した学習帳データベースＳＤＢから見出し語Ｎａ及び見出し語内容Ｎｂを読み出す（Ｓ４８）。
【０２２６】
次に、図３２に示す表示順記憶部１４５を参照し、参照した「並び替え順」（図示例では「新しい順」）で見出し語Ｎａを図３４に示すリスト表示画面Ｇ１３にリスト表示し、さらに、リスト表示した見出し語Ｎａのうち、選択（ここでは反転表示）された見出し語Ｎａに対応させて見出し語内容Ｎｂをリスト表示画面Ｇ１３に表示する（Ｓ４９）。詳しくは、リスト表示画面Ｇ１３において正面から視て上下方向に沿った境界部αを境として、左右方向の一方側（図示例では左側）の第１画面領域Ｇ１３ａに見出し語Ｎａを表示し、左右方向の他方側（図示例では右側）の第２画面領域Ｇ１３ｂに複数の見出し語内容Ｎｂ（Ｎｂ（１）〜Ｎｂ（３））を表示する。なお、リスト表示画面Ｇ１３上（図示例では画面上部）には、複数種類の「選択分野」（ここでは「学習帳Ａ」、「学習帳Ｂ」、「学習帳Ｃ」）表示と「戻る」表示とが選択操作可能に表示されており、リスト表示画面Ｇ１３は、これらをユーザによる選択操作にて選択入力できるようになっている。また、リスト表示画面Ｇ１３で「戻る」表示が選択操作されると、図３３に示すメイン画面Ｇ１２に戻る。
【０２２７】
次に、図４１に示す表示設定記憶部１４６を参照し、参照した「表示」又は「非表示」（図示例では「表示」）を反転表示させた状態で、「表示」ボタンＢＴ５及び「非表示」ボタンＢＴ６を図３４に示すサブ表示部１６１（第２選択画面ｇ２）に表示する（Ｓ５０）。
【０２２８】
また、図３２に示す表示順記憶部１４５を参照し、参照した「並び替え順」（図示例では「新しい順」）を反転表示させた状態で、「新しい順」ボタンＢＴ２、「古い順」ボタンＢＴ３及び「名前順」ボタンＢＴ４を図３４に示すサブ表示部１６１（第２選択画面ｇ２）に表示する（Ｓ５１）。
【０２２９】
さらに、後述する学習帳削除機能に用いる「削除」ボタンＢＴ７を図３４に示すサブ表示部１６１（第２選択画面ｇ２）に表示する（Ｓ５２）。
【０２３０】
次に、分野エリアＡＲｃ１〜ＡＲｃ３の中から何れか一つが選択操作により選択操作されたか否かを判断する（Ｓ５３）。
【０２３１】
処理Ｓ５３で分野エリアＡＲｃ１〜ＡＲｃ３の中から何れか一つがユーザにより選択操作された場合には（Ｓ５３：Ｙｅｓ）、選択された「分野表示」に対応する「分野」を図３１に示す選択分野記憶部１４４に記憶し（Ｓ５４）、選択された「分野」に対応した学習帳データベースＳＤＢから見出し語Ｎａ及び見出し語内容Ｎｂを読み出し（Ｓ５５）、処理Ｓ４９へ移行する。
【０２３２】
一方、処理Ｓ５３で分野エリアＡＲｃ１〜ＡＲｃ３が何れも選択操作されていない場合には（Ｓ５３：Ｎｏ）、図３８に示す処理Ｓ５６へ移行する。
【０２３３】
図３８に示す処理Ｓ５６では、操作部１２０へのユーザによるキー操作及び図３４のリスト表示画面Ｇ１３へのユーザによる選択操作及び第２選択画面ｇ２へのユーザによるタッチ操作の何れかが行われるまで待機し（Ｓ５６：Ｎｏ、Ｓ５７：Ｎｏ）、第２選択画面ｇ２へのユーザによるタッチ操作が行われると（Ｓ５７：Ｙｅｓ）、図３９に示す第１サブ画面処理Ｓ５８を実行する。
【０２３４】
図３９に示す第１サブ画面処理Ｓ５８では、第２選択画面ｇ２の「新しい順」ボタンＢＴ２がタッチ操作されると（Ｓ５８ａ：Ｙｅｓ）、図３１に示す選択分野記憶部１４４を参照し（Ｓ５８ｂ）、参照した「分野」に対応した学習帳データベースＳＤＢの登録日Ｎｅの新しい順で見出し語Ｎａを図３４に示すリスト表示画面Ｇ１３の第１画面領域Ｇ１３ａにリスト表示し、さらに、リスト表示した見出し語Ｎａのうち、選択された見出し語Ｎａに対応させて見出し語内容Ｎｂをリスト表示画面Ｇ１３の第２画面領域Ｇ１３ｂに表示する（Ｓ５８ｃ）。そして、第２選択画面ｇ２の「新しい順」ボタンＢＴ２を反転表示し（Ｓ５８ｄ）、処理Ｓ５８ｍへ移行する。
【０２３５】
なお、本実施の形態において、図４２に示す学習帳リスト表示記憶部１４７の順序でリスト表示の１行目に表示されているのは、図８Ａに示す学習帳Ｂの見出し語番号Ｎｏが「０００３」の「福沢諭吉」である。スクロール等の画面内の移動表示を行ったり、並び順を変えたり、学習帳の種類を変えた時点で、学習帳リスト表示記憶部１４７のデータが作成される。
【０２３６】
また、「語順」は、「記号」→「アルファベット」→「ひらがな／カタカナ（半角）」→「ひらがな／カタカナ（全角）」→「漢字のコード順」の順番とされている。記号、アルファベット、ひらがな（半角／全角）、カタカナ（半角／全角）、漢字はそれぞれ固有のコードを対応付けて機器が記憶しており、そのコードに基づき、例えば、コードの値の小さいものから順番に並び変えを行うことが可能となる。なお、漢字については、漢字のコード順にすると、必ずしも漢字の読み順にならないことから、漢字Ｃ１の読みＮｄのコード順で表示してもよい。
【０２３７】
また、第２選択画面ｇ２の「新しい順」ボタンＢＴ２がタッチ操作されずに（Ｓ５８ａ：Ｎｏ）、「古い順」ボタンＢＴ３がタッチ操作されると（Ｓ５８ｅ：Ｙｅｓ）、図３１に示す選択分野記憶部１４４を参照し（Ｓ５８ｆ）、参照した「分野」に対応した学習帳データベースＳＤＢの登録日Ｎｅの古い順で見出し語Ｎａを図３４に示す第１画面領域Ｇ１３ａにリスト表示し、さらに、リスト表示した見出し語Ｎａのうち、選択された見出し語Ｎａに対応させて見出し語内容Ｎｂを第２画面領域Ｇ１３ｂに表示する（Ｓ５８ｇ）。そして、第２選択画面ｇ２の「古い順」ボタンＢＴ３を反転表示し（Ｓ５８ｈ）、処理Ｓ５８ｍへ移行する。
【０２３８】
また、第２選択画面ｇ２の「古い順」ボタンＢＴ３がタッチ操作されずに（Ｓ５８ｅ：Ｎｏ）、「名前順」ボタンＢＴ４がタッチ操作されると（Ｓ５８ｉ：Ｙｅｓ）、図３１に示す選択分野記憶部１４４を参照し（Ｓ５８ｊ）、参照した「分野」に対応した学習帳データベースＳＤＢの見出し語Ｎａの「語順」で見出し語Ｎａを図３４に示す第１画面領域Ｇ１３ａにリスト表示し、さらに、リスト表示した見出し語Ｎａのうち、選択された見出し語Ｎａに対応させて見出し語内容Ｎｂを第２画面領域Ｇ１３ｂに表示する（Ｓ５８ｋ）。そして、第２選択画面ｇ２の「名前順」ボタンＢＴ４を反転表示し（Ｓ５８ｌ）、処理Ｓ５８ｍへ移行する。
【０２３９】
処理Ｓ５８ｍでは、選択された並び順に該当するフラグを図３２に示す記憶部１４５に記憶する。また、第２選択画面ｇ２の「名前順」ボタンＢＴ４がタッチ操作されない場合には（Ｓ５８ｉ：Ｎｏ）、図４０に示す第２サブ画面処理Ｓ５９を実行する。
【０２４０】
図４０に示す第２サブ画面処理Ｓ５９では、第２選択画面ｇ２の「表示」ボタンＢＴ５がタッチ操作されると（Ｓ５９ａ：Ｙｅｓ）、図３４に示すように、リスト表示画面Ｇ１３の第１画面領域Ｇ１３ａにおいて選択されている見出し語Ｎａに対応する見出し語内容Ｎｂを第２画面領域Ｇ１３ｂに表示する（Ｓ５９ｂ）。そして、第２選択画面ｇ２の「表示」ボタンＢＴ５を反転表示し（Ｓ５９ｃ）、処理Ｓ５９ｈへ移行する。
【０２４１】
また、第２選択画面ｇ２の「表示」ボタンＢＴ５がタッチ操作されずに（Ｓ５９ａ：Ｎｏ）、「非表示」ボタンＢＴ６がタッチ操作されると（Ｓ５９ｄ：Ｙｅｓ）、図３５に示すように、リスト表示画面Ｇ１３の第１画面領域Ｇ１３ａにおいて選択されている見出し語Ｎａに対応する見出し語内容Ｎｂを第２画面領域Ｇ１３ｂで非表示にする（Ｓ５９ｅ）。そして、第２選択画面ｇ２の「非表示」ボタンＢＴ６を反転表示する（Ｓ５９ｆ）。
【０２４２】
第２選択画面ｇ２の「非表示」ボタンＢＴ６がタッチ操作されずに（Ｓ５９ｄ：Ｎｏ）、「削除」ボタンＢＴ７がタッチ操作されると（Ｓ５９ｇ：Ｙｅｓ）、後述する図４５及び図４６に示す削除処理Ｓ６０のサブルーチンに移行する。
【０２４３】
そして、処理Ｓ５９ｃ又は処理Ｓ５９ｆの終了後、選択された表示又は非表示を示すフラグを図４１に示す表示設定記憶部１４６に記憶する（Ｓ５９ｈ）。処理Ｓ５９ｈ及び削除処理Ｓ６０の終了後、或いは、処理Ｓ５９ｇで第２選択画面ｇ２の「削除」ボタンＢＴ７がタッチ操作されない場合には（Ｓ５９ｇ：Ｎｏ）、図３９に示す第１サブ画面処理へ戻る。
【０２４４】
図３９に示す処理Ｓ５８ｍ又は第２サブ画面処理Ｓ５９の終了後、図３７及び図３８に示すリスト表示処理において「リスト表示中キー処理」として処理Ｓ５３へ戻る。
【０２４５】
図３８に示す処理Ｓ５６において、操作部１２０へのユーザによるキー操作が行われるか、或いは、図３４又は図３５のリスト表示画面Ｇ１３へのユーザによるタッチ操作が行われると（Ｓ５６：Ｙｅｓ）、操作部１２０上のカーソルキー１２１ｅが押下されるか否かを判断し（Ｓ６１）、カーソルキー１２１ｅが押下された場合には（Ｓ６１：Ｙｅｓ）、図３４又は図３５のリスト表示画面Ｇ１３の第１画面領域Ｇ１３ａにリスト表示されて選択（ここでは反転表示）されている見出し語Ｎａの選択状態を変更（移動）し（Ｓ６２）、決定指示があるか（ここでは操作部１２０上の「検索／決定」キー１２１ｂが押下されたか）否かを判断し（Ｓ６３）、決定指示がない場合には（Ｓ６３：Ｎｏ）、処理Ｓ６１へ移行する一方、決定指示があると（Ｓ６３：Ｙｅｓ）、処理Ｓ６８へ移行する。
【０２４６】
また、カーソルキー１２１ｅが押下されていない場合には（Ｓ６１：Ｎｏ）、図３４又は図３５のリスト表示画面Ｇ１３へのユーザによるタッチ操作があったかを判断し（Ｓ６４）、リスト表示画面Ｇ１３へのタッチ操作がある場合には（Ｓ６４：Ｙｅｓ）、第１画面領域Ｇ１３ａにリスト表示されている見出し語Ｎａの表示がユーザによりタッチ操作されたか否かを判断し（Ｓ６５）、見出し語Ｎａの表示がタッチ操作された場合には（Ｓ６５：Ｙｅｓ）、処理Ｓ６８に移行する。また、見出し語Ｎａの表示がタッチ操作されていない場合には（Ｓ６５：Ｎｏ）、処理６２に移行する。また、リスト表示画面Ｇ１３へのタッチ操作がない場合には（Ｓ６４：Ｎｏ）、第２画面領域Ｇ１３ｂへのユーザによるタッチ操作があったかを判断し（Ｓ６６）、第２画面領域Ｇ１３ｂへのタッチ操作があると（Ｓ６６：Ｙｅｓ）、処理Ｓ６８へ移行する。一方、第２画面領域Ｇ１３ｂへのタッチ操作がない場合には（Ｓ６６：Ｎｏ）、その他のキー処理の割り込み待ちを行う（Ｓ６７）。
【０２４７】
次に、図３４又は図３５の１件表示画面Ｇ１４に示すように、選択されている見出し語Ｎａ及び見出し語Ｎａ（１件の見出し語Ｎａ）に対応する見出し語内容Ｎｂ（図３５では非表示）を全面表示する（Ｓ６８）。なお、１件表示画面Ｇ１４上（図示例では画面上部）には、「戻る」表示が選択操作可能に表示されており、１件表示画面Ｇ１４で「戻る」表示が選択操作されると、リスト表示画面Ｇ１３に戻る。
【０２４８】
また、本実施の形態では、１件表示画面Ｇ１４において、見出し語内容Ｎｂと見出し語Ｎａとを異なる表示形態で表している。具体的には、見出し語内容Ｎｂの色（図示例では黒色）とは異なる色（図示例では赤色）で見出し語Ｎａを表示している。
【０２４９】
次に、図４１に示す表示設定記憶部１４６を参照し、参照した「表示」又は「非表示」（図３４の例では「表示」、図３５の例では「非表示」）を反転表示させた状態で、「表示」ボタンＢＴ５及び「非表示」ボタンＢＴ６を図３４及び図３５に示すサブ表示部１６１（第２選択画面ｇ３）に表示する（Ｓ６９）。
【０２５０】
また、「新しい順」ボタンＢＴ２、「古い順」ボタンＢＴ３及び「名前順」ボタンＢＴ４の選択操作を禁止する表示（ここでは選択可能な表示濃度よりも薄くした表示）を図３４及び図３５に示すサブ表示部１６１（第２選択画面ｇ３）に表示する（Ｓ７０）。
【０２５１】
さらに、「削除」ボタンＢＴ７を図３４及び図３５に示すサブ表示部１６１（第２選択画面ｇ３）に表示する（Ｓ７１）。
【０２５２】
なお、表示切り替え操作（ここでは操作部１２０上の機能キー１２１ｃの押下後にプレビューキー１２１ｆを押下する操作）によって、図３６に示すように、リスト表示画面Ｇ１５において正面から視て左右方向に沿った境界部βを境として、上下方向の一方側（図示例では上側）の第３画面領域Ｇ１５ａに見出し語Ｎａを表示し、上下方向の他方側（図示例では下側）の第４画面領域Ｇ１５ｂに複数の見出し語内容Ｎｂ（Ｎｂ（１）〜Ｎｂ（３））を表示するプレビュー表示を行ってもよい。図３６のリスト表示画面Ｇ１５では、登録日時が表示されている。なお、図３６の画面Ｇ１５ｂにおいて、見出し語Ｎａを表示しないようにしても構わない。つまり、図３４の第２画面領域Ｇ１３ｂでは縦に長い表示であるので縦方向の表示量が多いが、図３６の第４画面領域Ｇ１５ｂでは縦方向の表示量が少ないので、極力、縦方向の内容を表示できるように、見出し語を削除するように制御しても構わない。
【０２５３】
［２−３］学習帳削除機能の制御例
次に、図４３及び図４４に示すサブ表示部１６１に表示される画面ｇ４，ｇ５及び表示部１５１に表示されるポップアップ表示Ｐ９〜Ｐ１２を参照しながら図４５及び図４６に示す学習帳削除機能の制御フローについて説明する。
【０２５４】
図４３は、サブ表示部１６１に表示される画面ｇ４及び表示部１５１に表示されるポップアップ表示Ｐ９〜Ｐ１２を示す概略図である。図４４は、学習帳データベースＳＤＢに登録データがない場合での表示部１５１に表示されるメッセージ画面Ｇ１６を示す概略図である。
【０２５５】
図４５は、学習帳削除機能の処理の流れを示すフローチャートの前半部分のフローチャートである。図４６は、図４５に示すフローチャートから続く後半部分を示すフローチャートである。
【０２５６】
（削除処理）
図４５及び図４６に示す削除処理Ｓ６０は、図４０に示す第２サブ画面処理Ｓ５９における処理Ｓ５９ｇで図３４及び図３５の第２選択画面ｇ２，ｇ３の「削除」ボタンＢＴ７がユーザによりタッチ操作されることにより（Ｓ５９ｇ：Ｙｅｓ）実行される。
【０２５７】
図４５及び図４６に示す削除処理では、先ず、図４３に示すように、見出し語Ｎａ及びそれに対応する見出し語内容Ｎｂ全体を削除する１件削除表示（図示例では「１件データ削除」ボタンＢＴ８）及び見出し語Ｎａに対応する見出し語内容Ｎｂをそれぞれ削除する内容削除表示（図示例では「内容（１）削除」ボタンＢＴ９、「内容（２）削除」ボタンＢＴ１０、「内容（３）削除」ボタンＢＴ１１）をサブ表示部１６１の第３選択画面ｇ４に表示する（Ｓ６０ａ）。ここで、内容削除表示は、選択されている学習帳の見出し語Ｎａの内容があるかどうか、すなわち、学習帳記憶部１４１の見出し語Ｎａに対応した内容部のＮｂ（１），Ｎｂ（２），Ｎｂ（３）に文字が記憶されているかどうかを判断し、文字が記憶されている内容だけ削除できるように、その内容の削除ボタンだけが選択可能に表示される。例えば、選択された見出し語に対する内容が内容（２）のみ記憶されていれば、「内容（２）削除」ボタンだけが表示され、「内容（１）削除」ボタンと「内容（３）削除」ボタンとは選択できないように薄い表示（所謂グレーアウト）もしくは非表示状態となっている。
【０２５８】
（１件データ削除処理）
次に、第３選択画面ｇ４の「１件データ削除」ボタンＢＴ８がユーザによりタッチ操作されたか否かを判断し（Ｓ６０ｂ）、第３選択画面ｇ４の「１件データ削除」ボタンＢＴ８がタッチ操作された場合（Ｓ６０ｂ：Ｙｅｓ）には、図３４から図３６に示すように、リスト表示画面Ｇ１３，Ｇ１５又は１件表示画面Ｇ１４において選択されている見出し語Ｎａを取得し（Ｓ６０ｃ）、図４３に示すように、取得した見出し語Ｎａ及びその見出し語内容Ｎｂを削除してよいかどうかを確認する１件削除確認表示（図示例では取得した見出し語Ｎａを表示するポップアップ表示Ｐ９）を行う（Ｓ６０ｄ）。ここで、ポップアップ表示Ｐ９の○○○内には、見出し語Ｎａの先頭から規定文字数だけ表示される。なお、ポップアップ表示Ｐ９の枠サイズは一定である。このため、表示する文字の規定文字数は、文字フォントサイズや文字の種類によって異なる。このことは、後述するポップアップ表示Ｐ１０，Ｐ１１も同様である。
【０２５９】
次に、ユーザによる削除しない確認操作（図示例では”Ｎいいえ“の入力操作）が行われると（Ｓ６０ｅ：Ｎｏ）、処理Ｓ６０ａに移行する。一方、ユーザによる削除してよい確認操作（図示例では”Ｙはい“の入力操作）が行われると（Ｓ６０ｅ：Ｙｅｓ）、処理Ｓ６０ｆに移行する。
【０２６０】
次に、リスト表示画面Ｇ１３，Ｇ１５又は１件表示画面Ｇ１４において選択されている見出し語Ｎａ及びその見出し語内容Ｎｂを学習帳データベースＳＤＢから削除し（処理Ｓ６０ｆ）、図４３に示すように、見出し語Ｎａ及びその見出し語内容Ｎｂを削除したことを示す削除完了表示（図示例では削除した見出し語Ｎａを表示するポップアップ表示Ｐ１０）を行う（Ｓ６０ｇ）。
【０２６１】
次に、リスト表示画面Ｇ１３，Ｇ１５又は１件表示画面Ｇ１４において選択されている「分野」に対応した学習帳データベースＳＤＢにデータがあるか否かを判断し（Ｓ６０ｈ）、データがある場合には（Ｓ６０ｈ：Ｙｅｓ）、図３２に示す表示順記憶部１４５を参照し、参照した「並び替え順」で見出し語Ｎａを図３４から図３６に示すリスト表示画面Ｇ１３，Ｇ１５にリスト表示する（Ｓ６０ｉ）。一方、データがない場合には（Ｓ６０ｈ：Ｎｏ）、図４４に示すようなメッセージ表示を表示画面Ｇ１６に表示する。なお、この場合の図４４に示すサブ表示部１６１の第２選択画面ｇ５の表示は、「新しい順」ボタンＢＴ２、「古い順」ボタンＢＴ３及び「名前順」ボタンＢＴ４並びに「表示」ボタンＢＴ５、「非表示」ボタンＢＴ６及び「削除」ボタンＢＴ７の選択操作を禁止する表示（ここでは選択可能な表示濃度よりも薄くした表示）とされている。
【０２６２】
（内容削除処理）
また、図４５に示す処理Ｓ６０ｂで図４３の第３選択画面ｇ４の「１件データ削除」ボタンＢＴ８がタッチ操作されていない場合（Ｓ６０ｂ：Ｎｏ）には、図４６に示す処理Ｓ６０ｋへ移行する。
【０２６３】
図４６に示す処理６０ｋでは、先ず、第３選択画面ｇ４の「内容（１）削除」ボタンＢＴ９〜「内容（３）削除」ボタンＢＴ１１の中から何れか一つがユーザにより選択操作されたか否かを判断する（Ｓ６０ｋ）。第３選択画面ｇ４の「内容（１）削除」ボタンＢＴ９〜「内容（３）削除」ボタンＢＴ１１の何れもユーザにより選択操作されていない場合には（Ｓ６０ｋ：Ｎｏ）、図４５に示す処理Ｓ６０ａに移行する。一方、第３選択画面ｇ４の「内容（１）削除」ボタンＢＴ９〜「内容（３）削除」ボタンＢＴ１１の中から何れか一つがユーザにより選択操作された場合には（Ｓ６０ｋ：Ｙｅｓ）、選択されたボタンに対応する見出し語内容Ｎｂを取得し（Ｓ６０ｌ）、図４３に示すように、取得した見出し語内容Ｎｂを削除してよいかどうかを確認する内容削除確認表示（図示例では見出し語Ｎａを表示するポップアップ表示Ｐ１１）を行う（Ｓ６０ｍ）。
【０２６４】
次に、ユーザによる削除しない確認操作（図示例では”Ｎ“の入力操作）が行われると（Ｓ６０ｎ：Ｎｏ）、図４５に示す処理Ｓ６０ａに移行する一方、ユーザによる削除してよい確認操作（図示例では”Ｙ“の入力操作）が行われると（Ｓ６０ｎ：Ｙｅｓ）、処理Ｓ６０ｏに移行する。
【０２６５】
次に、図３４から図３６のリスト表示画面Ｇ１３，Ｇ１５又は１件表示画面Ｇ１４において選択されている見出し語内容Ｎｂを学習帳データベースＳＤＢから削除し（処理Ｓ６０ｏ）、図４３に示すように、見出し語内容Ｎｂを削除したことを示す削除完了表示（図示例では処理Ｓ６０ｋで選択されたボタンに対応する見出し語内容の内容表示（図示例では「内容（１）」）を表示するポップアップ表示Ｐ１２）を行う（Ｓ６０ｐ）。
【０２６６】
次に、削除処理する前の表示画面が図３４から図３６のリスト表示画面Ｇ１３，Ｇ１５であるか否かを判断し（Ｓ６０ｑ）、削除処理する前の表示画面が図３４から図３６のリスト表示画面Ｇ１３，Ｇ１５である場合には（Ｓ６０ｑ：Ｙｅｓ）、図３２に示す表示順記憶部１４５を参照し、参照した「並び替え順」で見出し語Ｎａを図３４から図３６に示すリスト表示画面Ｇ１３，Ｇ１５にリスト表示し（Ｓ６０ｒ）、さらに、リスト表示した見出し語Ｎａのうち、選択（ここでは反転表示）された見出し語Ｎａに対応させて見出し語内容Ｎｂ（図３５では非表示）をリスト表示画面Ｇ１３に表示する（Ｓ６０ｓ）。一方、削除処理する前の表示画面が図３４及び図３５の１件表示画面Ｇ１４である場合には（Ｓ６０ｑ：Ｎｏ）、選択されている見出し語Ｎａ及び見出し語Ｎａ（１件の見出し語Ｎａ）に対応する見出し語内容Ｎｂ（図３５では非表示）を全面表示する（Ｓ６０ｔ）。
【０２６７】
図４５に示す１件データ削除処理及び図４６に示す内容削除処理が終了すると、図４０に示す第２サブ画面処理Ｓ５９へ戻る。
【０２６８】
［３］学習帳機能の説明
次に、学習帳機能について学習帳登録機能と学習帳表示機能と学習帳削除機能とに分けてこの順で説明する。
【０２６９】
［３−１］学習帳登録機能
本実施の形態に係る学習帳登録機能によれば、ユーザが覚えたい語句とその語句の詳細内容とを自由に指定でき、ユーザにより任意に指定された見出し語とその見出し語に関してユーザにより任意に指定された見出し語内容とを対応付けて記憶させることができ、これにより学習装置としての利便性を向上させることができる。
【０２７０】
また、本実施の形態では、指定文字Ｍに含まれている漢字Ｃ１に対応する漢字読みＣ２を国語辞書データベースＤＤＢから取得し、取得した漢字読みＣ２を学習帳データベースＳＤＢとして見出し語Ｎａに対応付けて学習帳記憶部１４１に登録させるので、見出し語Ｎａに漢字Ｃ１が含まれていても見出し語Ｎｂの読みを、自動的に取得して登録することができる。例えば、見出し語Ｎａを語順で並べ替えて表示する場合において、漢字のコード順に並び替えると、必ずしも漢字の読み順にはならないのに対して、見出し語Ｎａを漢字の読み順で並び替えることで、さらなる利便性の向上を実現させることができる。
【０２７１】
また、本実施の形態では、複数の見出し語内容Ｎｂ（Ｎｂ（１）〜Ｎｂ（ｎ））のそれぞれに対して登録動作を実行するので、見出し語Ｎａに対する見出し語内容Ｎｂの数を増やすことができ、これにより学習装置としての利便性をさらに向上させることができる。
【０２７２】
また、本実施の形態では、表示入力操作部１５０の表示部１５１の表示画面Ｇ４（図１２参照）に表示した学習帳登録機能Ｆ５を含む動作機能Ｆ１〜Ｆ５を示す表示のうち何れか一つの選択操作を受け付け、受け付けた表示に対応する動作機能が学習帳登録機能Ｆ５である場合に、学習帳登録機能Ｆ５を実行するので、指定文字Ｍに対して実行可能な動作機能を表示してユーザにより学習帳登録機能Ｆ５を容易に選択させることができる。これによりユーザインターフェイスとしての操作性を向上させることができる。
【０２７３】
また、本実施の形態では、学習帳データベースＳＤＢは、複数の分野Ｄ（Ｄ（１）〜Ｄ（ｍ））別に設けられているので、見出し語ＳＤＢ（ＳＤＢ（１）〜ＳＤＢ（ｍ））とそれに対応する見出し語内容Ｎｂとをユーザが分野Ｄ（Ｄ（１）〜Ｄ（ｍ））毎に分けて学習することができる。
【０２７４】
また、本実施の形態では、表示入力操作部１５０から受け付けている現在の分野Ｄ（Ｄ（ｋ））とは異なる他分野Ｄ（Ｄ（ｈ））を受け付けた場合には、現在の分野Ｄ（Ｄ（ｋ））の見出し語Ｎａ及び見出し語Ｎａに対応する見出し語内容Ｎｂを他分野Ｄ（Ｄ（ｈ））の学習帳データベースＳＤＢ（ＳＤＢ（ｈ））に移動させるので、見出し語Ｎａとそれに対応する見出し語内容Ｎｂを簡単にかつ容易に他の分野Ｄ（Ｄ（ｈ））に移動させることができる。
【０２７５】
また、本実施の形態では、表示入力操作部１５０から受け付けた指定情報Ａのうち、指定文字Ｍに対して不必要な不要情報Ａ１が含まれている場合には、不要情報Ａ１を除去して指定文字Ｍを取得するので、ユーザが指定文字Ｍに対して不要情報Ａ１を含む指定情報Ａを指定しても自動的に不要情報Ａ１を除去して指定文字Ｍを確実に取得することができる。
【０２７６】
［３−２］学習帳表示機能
本実施の形態に係る学習帳表示機能によれば、ユーザにより任意に指定された見出し語Ｎａを一覧表示し、その見出し語Ｎａに関してユーザにより任意に指定された見出し語内容Ｎｂとを対応付けて表示することができ、これにより学習装置としての利便性を向上させることができる。
【０２７７】
また、本実施の形態では、複数種類の順序並び替えのうちの何れか一つによって並び替えられた見出し語を表示部１５１の表示画面Ｇ１３，Ｇ１５（図３４から図３６参照）に一覧表示するので、一覧表示された見出し語Ｎａに対してユーザが所望の見出し語を即座に見つけ出すことができ、これにより学習装置としての利便性をさらに向上させることができる。
【０２７８】
また、本実施の形態では、複数種類の順序並び替えを示す並び替え表示ＢＴ２〜ＢＴ４（図３４及び図３５参照）をサブ表示部１６１のサブ表示画面ｇ２に表示し、サブ表示画面ｇ２に表示した並び替え表示ＢＴ２〜ＢＴ４のうち何れか一つの選択操作をサブ表示入力操作部１６０から受け付け、受け付けた並び替え表示に対応する順序並び替えを行うので、表示部１５１の表示画面Ｇ１３，Ｇ１５における限られたスペースを使用する必要がなく、表示部１５１とは別に設けられたサブ表示部１６１のサブ表示画面ｇ２を利用して選択操作を行うことができる。しかも、複数種類の順序並び替えの選択表示をサブ表示画面ｇ２に特定することができ、これによりユーザは躊躇することなく複数種類の順序並び替えの選択操作を行うことができる。
【０２７９】
また、本実施の形態では、複数種類の順序並び替えは、登録日Ｎｅの新しい順の並び替え、登録日Ｎｅの古い順の並び替え及び見出し語Ｎａの語順の並び替えとされているので、見出し語Ｎａを時間的な順序と一定の規則に従った語句の順序とのうちユーザが所望する順序の並び替えを行うことができる。
【０２８０】
また、本実施の形態では、見出し語内容Ｎｂの表示を許可する内容表示機能と、見出し語内容Ｎｂの表示を禁止して非表示にする内容非表示機能とを切り替えるので、ユーザにより選択操作された見出し語Ｎａに対して見出し語内容Ｎｂをユーザが暗記する際に好適に利用することができる。
【０２８１】
また、本実施の形態では、内容表示機能及び内容非表示機能を示す表示ＢＴ５及び非表示ＢＴ６（図３４及び図３５参照）をサブ表示部１６１のサブ表示画面ｇ２，ｇ３に表示し、サブ表示画面ｇ２，ｇ３に表示した表示機能のうち何れか一つの選択操作をサブ表示入力操作部１６０から受け付け、受け付けた表示に対応する表示機能に切り替えるので、表示部１５１の表示画面Ｇ１３〜Ｇ１５における限られたスペースを使用する必要がなく、表示部１５１とは別に設けられたサブ表示部１６１のサブ表示画面ｇ２，ｇ３を利用して選択操作を行うことができる。しかも、内容表示機能及び内容非表示機能の選択表示をサブ表示画面ｇ２，ｇ３に特定することができ、これによりユーザは躊躇することなく内容表示機能及び内容非表示機能の選択操作を行うことができる。
【０２８２】
また、本実施の形態では、見出し語内容Ｎｂは、見出し語Ｎａに対応する複数の見出し語内容Ｎｂ（Ｎｂ（１）〜Ｎｂ（ｎ））とされているが、表示入力操作部１５０から受け付けた見出し語Ｎａに対応する複数の見出し語内容Ｎｂ（Ｎｂ（１）〜Ｎｂ（ｎ））を学習帳データベースＳＤＢから読み出し、読み出した複数の見出し語内容Ｎｂ（Ｎｂ（１）〜Ｎｂ（ｎ））を表示入力操作部１５０から受け付けた見出し語Ｎａに対応させて表示部１５１の表示画面Ｇ１３，Ｇ１５に表示するので、ユーザにより選択操作された見出し語Ｎａに対して複数の見出し語内容Ｎｂ（Ｎｂ（１）〜Ｎｂ（ｎ））を利便性よく表示することが可能となる。
【０２８３】
また、本実施の形態では、境界部αを境（図３４の上側の画面参照）として、左右方向の一方側の第１画面領域Ｇ１３ａに見出し語Ｎａを表示し、左右方向の他方側の第２画面領域Ｇ１３ｂに複数の見出し語内容Ｎｂ（Ｎｂ（１）〜Ｎｂ（ｎ））を表示するので、ノートブック（帳面）における紙面上の左右の一方に繰り返し見たい語句、他方にその語句に対して覚えたい内容を記載した学習帳の如く視認する感覚で利用することができる。
【０２８４】
また、本実施の形態では、学習帳データベースＳＤＢは、ユーザにより選択される複数の分野Ｄ（Ｄ（１）〜Ｄ（ｍ））別に設けられているが、複数の分野Ｄ（Ｄ（１）〜Ｄ（ｍ））を示す表示を表示部１５１の表示画面Ｇ１３，Ｇ１５（図３４から図３６参照）に表示し、表示した複数の分野Ｄ（Ｄ（１）〜Ｄ（ｍ））のうち何れか一つの選択操作を表示入力操作部１５０から受け付け、受け付けた表示に対応する分野Ｄ（Ｄ（ｋ））の学習帳データベースＳＤＢから読み出し、表示入力操作部１５０から受け付けた見出し語Ｎａに対応する見出し語内容Ｎｂを表示入力操作部１５０から受け付けた分野Ｄ（Ｄ（ｋ））の学習帳データベースＳＤＢから読み出すので、ユーザが選択操作した見出し語Ｎａとそれに対応する見出し語内容Ｎｂ（図３５では非表示）とを選択操作した分野Ｄ（Ｄ（ｋ））別に視認することができる。
【０２８５】
［３−３］学習帳削除機能
本実施の形態に係る学習帳削除機能によれば、ユーザにより任意に指定された見出し語Ｎａとその見出し語Ｎａに関してユーザにより任意に指定された見出し語内容Ｎｂとを一括して削除することができ、これにより学習装置としての利便性を向上させることができる。
【０２８６】
また、本実施の形態では、表示入力操作部１５０から受け付けた見出し語Ｎａの削除を示す見出し語削除表示ＢＴ８（図４３参照）をサブ表示部１６１のサブ表示画面ｇ４に表示し、サブ表示画面ｇ４に表示した見出し語削除表示ＢＴ８の選択操作をサブ表示入力操作部１６０から受け付け、受け付けた見出し語削除表示ＢＴ８に対応する見出し語Ｎａ及び見出し語Ｎａに対応する見出し語内容Ｎｂを学習帳データベースＳＤＢから削除するので、表示部１５１の表示画面Ｇ１４における限られたスペースを使用する必要がなく、表示部１５１とは別に設けられたサブ表示部１６１のサブ表示画面ｇ４を利用して選択操作を行うことができる。しかも、見出し語Ｎａの削除の選択表示をサブ表示画面ｇ４に特定することができ、これによりユーザは躊躇することなく見出し語Ｎａの削除の選択操作を行うことができる。
【０２８７】
また、本実施の形態では、学習帳データベースＳＤＢは、ユーザにより選択される複数の分野Ｄ（Ｄ（１）〜Ｄ（ｍ））別に設けられているが、複数の分野Ｄ（Ｄ（１）〜Ｄ（ｍ））を示す表示を表示部１５１の表示画面Ｇ１３，Ｇ１５（図３４から図３６参照）に表示し、表示した複数の分野Ｄ（Ｄ（１）〜Ｄ（ｍ））を示す表示のうち何れか一つの選択操作を表示入力操作部１５０から受け付け、受け付けた表示に対応する分野Ｄ（Ｄ（ｋ））の学習帳データベースＳＤＢから読み出し、表示入力操作部１５０から受け付けた見出し語Ｎａ及び見出し語Ｎａに対応する見出し語内容Ｎｂを表示入力操作部１５０から受け付けた表示に対応する分野Ｄ（Ｄ（ｋ））の学習帳データベースＳＤＢから削除するので、ユーザにより選択操作された見出し語Ｎａ及び見出し語内容Ｎｂをユーザにより選択操作された分野Ｄ（Ｄ（ｋ））別に削除することができる。
【０２８８】
また、本実施の形態では、見出し語内容Ｎｂは、見出し語Ｎａに対応する複数の見出し語内容Ｎｂ（Ｎｂ（１）〜Ｎｂ（ｎ））とされているが、表示入力操作部１５０から受け付けた見出し語Ｎａに対応する複数の見出し語内容Ｎｂ（Ｎｂ（１）〜Ｎｂ（ｎ））を学習帳データベースＳＤＢから読み出し、読み出した複数の見出し語内容Ｎｂ（Ｎｂ（１）〜Ｎｂ（ｎ））を表示入力操作部１５０から受け付けた見出し語Ｎａに対応させて表示部１５１の表示画面Ｇ１３，Ｇ１５に表示し、表示した見出し語内容Ｎｂ（Ｎｂ（１）〜Ｎｂ（ｎ））のうち何れか一つの選択操作を受け付け、受け付けた見出し語内容Ｎｂ（Ｎｂ（ｊ））を学習帳データベースＳＤＢから削除するので、ユーザにより選択操作された見出し語Ｎａに対応する複数の見出し語内容Ｎｂ（Ｎｂ（１）〜Ｎｂ（ｎ））を個別に削除することが可能となる。
【０２８９】
また、本実施の形態では、複数の見出し語内容Ｎｂ（Ｎｂ（１）〜Ｎｂ（ｎ））の削除をそれぞれ示す複数の見出し語内容削除表示ＢＴ９〜ＢＴ１１（図４３参照）をサブ表示部１６１のサブ表示画面ｇ４に表示し、サブ表示画面ｇ４に表示した複数の見出し語内容削除表示ＢＴ９〜ＢＴ１１のうち何れか一つの選択操作をサブ表示入力操作部１６０から受け付け、受け付けた見出し語内容削除表示に対応する見出し語内容Ｎｂを学習帳データベースＳＤＢから削除するので、表示部１５１の表示画面Ｇ１４における限られたスペースを使用する必要がなく、表示部１５１とは別に設けられたサブ表示部１６１のサブ表示画面ｇ４を利用して選択操作を行うことができる。しかも、複数の見出し語内容Ｎｂ（Ｎｂ（１）〜Ｎｂ（ｎ））の削除の選択表示をサブ表示画面ｇ４に特定することができ、これによりユーザは躊躇することなく見出し語内容Ｎｂの削除の選択操作を行うことができる。
【０２９０】
また、本実施の形態では、学習帳データベースＳＤＢは、ユーザにより選択される複数の分野Ｄ（Ｄ（１）〜Ｄ（ｍ））別に設けられているが、表示入力操作部１５０から受け付けた見出し語Ｎａに対応する複数の見出し語内容Ｎｂ（Ｎｂ（１）〜Ｎｂ（ｎ））を表示入力操作部１５０から受け付けた表示に対応する分野Ｄ（Ｄ（ｋ））の学習帳データベースＳＤＢから読み出し、表示入力操作部１５０から受け付けた見出し語内容Ｎｂを表示入力操作部１５０から受け付けた表示に対応する分野Ｄ（Ｄ（ｋ））の学習帳データベースＳＤＢから削除するので、ユーザにより選択操作された見出し語Ｎａに対応する複数の見出し語内容Ｎｂ（Ｎｂ（１）〜Ｎｂ（ｎ））を個別に、かつ、ユーザにより選択操作された分野Ｄ（Ｄ（ｋ））別に削除することが可能となる。
【０２９１】
なお、本実施の形態では、見出し語Ｎａ又は見出し語内容Ｎｂをそれぞれ削除するようにしたが、学習帳データベースＳＤＢの全てのデータを１回の操作で一括して削除するようにしてもよい。
【０２９２】
（変形例）
本実施の形態の電子辞書は、学習帳登録機能において、図６Ｂに示す制御部１３０の機能構成に代えて／或いは加えて次のように構成することができる。図４７は、図１に示す電子辞書における制御部１３０の機能構成の他の例を概略的に示す機能構成図である。
【０２９３】
この電子辞書は、見出し語Ｎａと見出し語Ｎａの詳細情報とが対応付けられた複数のデータ（例えば辞書データＤＤＢ）が、複数のコンテンツの種類毎にコンテンツの名称Ｎｃｍと共に記憶されたコンテンツ名称記憶部１４１ａ（コンテンツ記憶部の一例）と、文字を入力する入力部（ここでは操作部１２０）と、入力部１２０により入力された文字に基づきコンテンツの複数のデータから検索を行う検索部（図示省略）と、検索部により検索されたデータを表示する表示部１５１とを備えている。なお、検索部は、従来構成と同様のものであり、ここでは詳しい説明及び図示を省略する。
【０２９４】
図４７に示す制御部１３０は、学習帳記憶手段Ｑ４０１、コンテンツ名取得手段Ｑ４０２、指定手段Ｑ４０３、文字取得手段Ｑ４０４、学習帳記憶指示手段Ｑ４０５、記憶制御手段Ｑ４０６として機能する。すなわち、学習帳登録プログラムは、学習帳記憶ステップと、コンテンツ名取得ステップと、指定ステップと、文字取得ステップと、学習帳記憶指示ステップと、記憶制御ステップとを含むステップを制御部１３０に実行させる。
【０２９５】
学習帳記憶ステップは、コンテンツ名称記憶部１４１ａに記憶されたデータの中の任意の文字が見出し語または該見出し語の詳細情報である見出し語内容として記憶される。
【０２９６】
コンテンツ名取得ステップは、検索部により検索されたデータが記憶されていたコンテンツの名称を取得する。
【０２９７】
指定ステップは、表示部１５１により表示されたデータ中の任意の文字を指定する。
【０２９８】
文字取得ステップは、指定ステップにより指定された文字を取得する。
【０２９９】
学習帳記憶指示ステップは、文字取得ステップにより取得された文字を学習帳記憶部１４１の見出し語Ｎａまたは見出し語内容Ｎｂに記憶させるよう指示する。
【０３００】
記憶制御ステップは、学習帳記憶指示ステップにより指示があったとき、見出し語Ｎａまたは見出し語内容Ｎｂの何れか少なくとも一方とコンテンツ名Ｎｃとを対応付けて学習帳記憶部１４１に記憶するよう制御する。
【０３０１】
この電子辞書では、記憶制御ステップは、学習帳記憶指示ステップにより指示があったとき、見出し語Ｎａまたは見出し語内容Ｎｂの何れか少なくとも一方とコンテンツ名Ｎｃとを対応付けて学習帳記憶部１４１に記憶するよう制御するので、見出し語Ｎａまたは見出し語内容Ｎｂの何れか少なくとも一方をどのコンテンツ名Ｎｃから取得したのかをユーザに知らせることができる。
【０３０２】
なお、以上説明した登録機能、表示機能及び削除機能において、図６Ｂ及び図４７では説明の便宜上各手段を分けて記載しているが、制御部１３０は、前述した各プログラムに基づいて動作することで、前述した各手段を実行する。従って、前述した各手段及び各ステップにおいて、少なくとも二つを組み合わせて動作する場合もある。また、同一名称の手段及びステップを各機能で分けて構成している（手段には異なる符号を付している）が、共通する部分については登録機能、表示機能及び削除機能で共通の手段及びステップとして構成してもよい。
【０３０３】
（その他の実施形態について）
本実施の形態では、本発明に係る学習装置を電子辞書に適用したが、携帯電話機などの携帯情報端末（ＰＤＡ：Personal Digital Assistant）といった携帯可能な電子機器に適用してもよい。
【０３０４】
また、本実施の形態では、当該学習装置に格納されているコンテンツ情報から指定文字を指定したが、インターネット等の情報通信網に接続可能な構成とし、該情報通信網を介して検索して得られた結果に対して指定文字を任意に指定してもよい。
【符号の説明】
【０３０５】
１００    電子辞書（学習装置の一例）
１３０    制御部
１４１    学習帳記憶部
１４８    動作機能記憶部
１５０    表示入力操作部（入力受付部の一例）
１５１    表示部
１５２    入力部
１６０    サブ表示入力操作部（サブ入力受付部の一例）
１６１    サブ表示部
１６２    サブ入力部
Ａ        指定情報
Ａ１      不要情報
ＢＴ１    「新規作成」ボタン
ＢＴ２    「新しい順」ボタン
ＢＴ３    「古い順」ボタン
ＢＴ４    「名前順」ボタン
ＢＴ５    「表示」ボタン
ＢＴ６    「非表示」ボタン
ＢＴ７    「削除」ボタン
ＢＴ８    「１件データ削除」ボタン
ＢＴ９    「内容（１）削除」ボタン
ＢＴ１０  「内容（２）削除」ボタン
ＢＴ１１  「内容（３）削除」ボタン
Ｃ１      漢字
Ｃ２      漢字読み
Ｄ        分野
Ｇ１３    リスト表示画面
Ｇ１３ａ  第１画面領域
Ｇ１３ｂ  第２画面領域
Ｍ        指定文字
Ｎａ      見出し語
Ｎｂ      見出し語内容
Ｎｅ      登録日（記憶日の一例）
Ｎｆ      変更日（記憶日の一例）
Ｑ１０１  指定受付手段
Ｑ１０２  指定文字取得手段
Ｑ１０３  見出し語確定手段
Ｑ１０４  見出し語登録手段
Ｑ１０５  見出し語内容確定手段
Ｑ１０６  見出し語内容登録手段
Ｑ１０７  漢字読み取得手段
Ｑ１０８  機能取得手段
Ｑ１０９  動作機能表示手段
Ｑ１１０  動作機能選択手段
Ｑ１１１  機能実行手段
Ｑ１１２  分野表示手段
Ｑ１１３  分野選択手段
Ｑ１１４  分野移動手段
Ｑ２０１  見出し語読み出し手段
Ｑ２０２  見出し語表示手段
Ｑ２０３  見出し語選択手段
Ｑ２０４  見出し語内容読み出し手段
Ｑ２０５  見出し語内容表示手段
Ｑ２０６  並び替え手段
Ｑ２０７  並び替え表示手段
Ｑ２０８  並び替え選択手段
Ｑ２０９  表示切り替え手段
Ｑ２１０  表示機能表示手段
Ｑ２１１  表示選択手段
Ｑ２１２  分野表示手段
Ｑ２１３  分野選択手段
Ｑ３０１  見出し語読み出し手段
Ｑ３０２  見出し語表示手段
Ｑ３０３  見出し語選択手段
Ｑ３０４  見出し語削除手段
Ｑ３０５  見出し語削除表示手段
Ｑ３０６  分野表示手段
Ｑ３０７  分野選択手段
Ｑ３０８  見出し語内容読み出し手段
Ｑ３０９  見出し語内容表示手段
Ｑ３１０  見出し語内容選択手段
Ｑ３１１  見出し語内容削除手段
Ｑ３１２  見出し語内容削除表示手段
Ｑ４０１  学習帳記憶手段
Ｑ４０２  コンテンツ名取得手段
Ｑ４０３  指定手段
Ｑ４０４  文字取得手段
Ｑ４０５  学習帳記憶指示手段
Ｑ４０６  記憶制御手段
ＲＤＢ    国語辞書データベース
ＳＤＢ    学習帳データベース
【図１】
0005460343.tif 000002
【図２】
0005460343.tif 000003
【図３】
0005460343.tif 000004
【図４】
0005460343.tif 000005
【図５】
0005460343.tif 000006
【図６Ａ】
0005460343.tif 000007
【図６Ｂ】
0005460343.tif 000008
【図６Ｃ】
0005460343.tif 000009
【図７】
0005460343.tif 000010
【図８Ａ】
0005460343.tif 000011
【図８Ｂ】
0005460343.tif 000012
【図８Ｃ】
0005460343.tif 000013
【図９】
0005460343.tif 000014
【図１０】
0005460343.tif 000015
【図１１】
0005460343.tif 000016
【図１２】
0005460343.tif 000017
【図１３】
0005460343.tif 000018
【図１４】
0005460343.tif 000019
【図１５】
0005460343.tif 000020
【図１６】
0005460343.tif 000021
【図１７】
0005460343.tif 000022
【図１８】
0005460343.tif 000023
【図１９】
0005460343.tif 000024
【図２０】
0005460343.tif 000025
【図２１】
0005460343.tif 000026
【図２２】
0005460343.tif 000027
【図２３】
0005460343.tif 000028
【図２４】
0005460343.tif 000029
【図２５】
0005460343.tif 000030
【図２６】
0005460343.tif 000031
【図２７】
0005460343.tif 000032
【図２８】
0005460343.tif 000033
【図２９】
0005460343.tif 000034
【図３０】
0005460343.tif 000035
【図３１】
0005460343.tif 000036
【図３２】
0005460343.tif 000037
【図３３】
0005460343.tif 000038
【図３４】
0005460343.tif 000039
【図３５】
0005460343.tif 000040
【図３６】
0005460343.tif 000041
【図３７】
0005460343.tif 000042
【図３８】
0005460343.tif 000043
【図３９】
0005460343.tif 000044
【図４０】
0005460343.tif 000045
【図４１】
0005460343.tif 000046
【図４２】
0005460343.tif 000047
【図４３】
0005460343.tif 000048
【図４４】
0005460343.tif 000049
【図４５】
0005460343.tif 000050
【図４６】
0005460343.tif 000051
【図４７】
0005460343.tif 000052